(57)【要約】【課題】ユーザが視聴した放送番組とネットワーク経由で受信したコンテンツの関連性を導き出すための技術を提供する。【解決手段】複数のテレビ（４０）の各々を特定するためのテレビＩＤと、各テレビにおいて視聴された放送番組の視聴履歴を示す放送番組視聴履歴情報と、ネットワーク経由で配信されたコンテンツの視聴履歴を示すコンテンツ視聴履歴情報とを取得し、取得したテレビＩＤ，放送番組視聴履歴情報、およびコンテンツ視聴履歴情報を参照し、放送番組とコンテンツとの関連度を算出する視聴履歴分析サーバ（３０）。【選択図】図１
2017118277.tif 000002
【特許請求の範囲】
【請求項１】
通信部と、制御部と、を備えるサーバであって、
上記制御部は、上記通信部を介して、
複数の表示装置の各々を特定するための識別情報と、
各表示装置において視聴された放送番組の視聴履歴を示す放送番組視聴履歴情報と、
各表示装置において視聴されたコンテンツであって、ネットワーク経由で配信されたコンテンツの視聴履歴を示すコンテンツ視聴履歴情報と、を取得し、
取得した上記識別情報、上記放送番組視聴履歴情報、および上記コンテンツ視聴履歴情報を参照し、上記放送番組と上記コンテンツとの関連度を算出する、
ことを特徴とするサーバ。
【請求項２】
上記制御部は、上記関連度として、所定のコンテンツを表示した表示装置の総数に対する割合であって、所定の放送番組を表示した表示装置のうち、上記所定のコンテンツを表示した表示装置の総数の割合を算出する、
ことを特徴とする請求項１に記載のサーバ。 
【請求項３】
上記制御部は、上記割合を正規化した値をさらに算出する、
ことを特徴とする請求項２に記載のサーバ。 
【請求項４】
上記制御部は、
上記コンテンツ視聴履歴情報を参照することにより、各表示装置において各コンテンツが視聴された期間を算出し、
ある表示装置において上記期間が所定の期間以下であるコンテンツについては、当該ある表示装置において当該コンテンツは視聴されていないものとして上記関連度を算出する、
ことを特徴とする請求項１〜３の何れか１項に記載のサーバ。 
【請求項５】
通信部と、制御部と、を備えるサーバとしてコンピュータを機能させるためのプログラムであって、上記制御部に、
複数の表示装置の各々を特定するための識別情報と、
各表示装置において視聴された放送番組の視聴履歴を示す放送番組視聴履歴情報と、
各表示装置において視聴されたコンテンツであって、ネットワーク経由で配信されたコンテンツの視聴履歴を示すコンテンツ視聴履歴情報と、を取得させる処理、
取得した上記識別情報、上記放送番組視聴履歴情報、および上記コンテンツ視聴履歴情報を参照し、上記放送番組と上記コンテンツとの関連度を算出させる処理、
を実行させることを特徴とするプログラム。 
【請求項６】
複数の表示装置の各々を特定するための識別情報と、
各表示装置において視聴された放送番組の視聴履歴を示す放送番組視聴履歴情報と、
各表示装置において視聴されたコンテンツであって、ネットワーク経由で配信されたコンテンツの視聴履歴を示すコンテンツ視聴履歴情報と、を取得する取得ステップと、
上記取得ステップにおいて取得した上記識別情報、上記放送番組視聴履歴情報、および上記コンテンツ視聴履歴情報を参照し、上記放送番組と上記コンテンツとの関連度を算出する算出ステップと、
を含むことを特徴とする方法。 
【請求項７】
複数の放送番組受信端末と、サーバと、を備えるシステムであって、
上記複数の放送番組受信端末の各々は、放送番組受信部と、通信部と、制御部と、を備え、
上記制御部は、上記通信部を介して、
上記複数の放送番組受信端末の各々を特定するための識別情報と、
上記放送番組受信部を介して受信した放送番組の視聴履歴を示す放送番組視聴履歴情報と、
上記通信部を介してネットワーク経由で受信したコンテンツの視聴履歴を示すコンテンツ視聴履歴情報と、を出力し、
上記サーバは、通信部と、制御部と、を備え、
上記制御部は、上記通信部を介して、
上記識別情報と、
上記放送番組視聴履歴情報と、
上記コンテンツ視聴履歴情報と、を取得し、
取得した上記識別情報、上記放送番組視聴履歴情報、および上記コンテンツ視聴履歴情報を参照し、上記放送番組と上記コンテンツとの関連度を算出する、
ことを特徴とするシステム。 
【請求項８】
放送番組受信部と、通信部と、制御部と、を備える放送番組受信端末であって、
上記制御部は、
当該放送番組受信端末を特定するための識別情報と、
上記放送番組受信部を介して受信した放送番組の視聴履歴を示す放送番組視聴履歴情報と、
上記通信部を介してネットワーク経由で受信したコンテンツの視聴履歴を示すコンテンツ視聴履歴情報と、を出力する、
ことを特徴とする放送番組受信端末。 
【請求項９】
放送番組受信部と、通信部と、制御部と、を備える放送番組受信端末としてコンピュータを機能させるためのプログラムであって、上記制御部に、
当該放送番組受信端末を特定するための識別情報と、
上記放送番組受信部を介して受信した放送番組の視聴履歴を示す放送番組視聴履歴情報と、
上記通信部を介してネットワーク経由で受信したコンテンツの視聴履歴を示すコンテンツ視聴履歴情報と、を出力させる処理、
を実行させることを特徴とするプログラム。
【発明の詳細な説明】
【技術分野】
【０００１】
本発明は、視聴された放送番組およびコンテンツの関連度を算出するサーバ、当該サーバとしてコンピュータを実行させるプログラム、視聴された放送番組およびコンテンツの関連度を算出する方法、サーバおよび放送番組受信端末を備えるシステム、上記放送番組受信端末、および当該放送番組受信端末としてコンピュータを実行させるプログラムに関する。
【背景技術】
【０００２】
放送番組におけるＣＭや番組宣伝を効率よく放送番組受信端末に表示させるための技術が開示されている。
【０００３】
引用文献１には、ユーザによって記述されたＣＭ評価基準を抽出し、放送番組のＣＭ視聴者の視聴状態に応じてＣＭ評価基準を参照してＣＭ効果値を算出するデジタル放送受信装置が記載されている。
【０００４】
また、引用文献２には、番組宣伝の放送の開始時刻および放送時間と放送されるチャンネルとを有するメタデータにしたがって番組宣伝を録画し、録画した番組宣伝を表示する構成が記載されている。
【先行技術文献】
【特許文献】
【０００５】
【特許文献１】特開２００９−４８８９２号公報（２００９年３月１９日公開）
【特許文献２】特開２０１０−２０６４４０号公報（２０１０年９月１６日公開）
【発明の概要】
【発明が解決しようとする課題】
【０００６】
近年、ネットワーク経由で受信したコンテンツを表示する放送番組受信端末が普及している。しかしながら、上述の従来技術では、放送番組とネットワーク経由で配信されたコンテンツとの関連性を導き出すことはできない。
【０００７】
本発明は、前記の問題点に鑑みてなされたものであり、その目的は、ユーザが視聴した放送番組とネットワーク経由で配信されたコンテンツの関連性を導き出すための技術を提供することにある。
【課題を解決するための手段】
【０００８】
上記の課題を解決するために、本発明の一態様に係るサーバは、通信部と、制御部と、備えるサーバであって、上記制御部は、上記通信部を介して、複数の表示装置の各々を特定するための識別情報と、各表示装置において視聴された放送番組の視聴履歴を示す放送番組視聴履歴情報と、各表示装置において視聴されたコンテンツであって、ネットワーク経由で配信されたコンテンツの視聴履歴を示すコンテンツ視聴履歴情報と、を取得し、取得した上記識別情報、上記放送番組視聴履歴情報、および上記コンテンツ視聴履歴情報を参照し、上記放送番組と上記コンテンツとの関連度を算出する。
【０００９】
また、上記の課題を解決するために、本発明の一態様に係るプログラムは、通信部と、制御部と、を備えるサーバとしてコンピュータを機能させるためのプログラムであって、上記制御部に、複数の表示装置の各々を特定するための識別情報と、各表示装置において視聴された放送番組の視聴履歴を示す放送番組視聴履歴情報と、各表示装置において視聴されたコンテンツであって、ネットワーク経由で配信されたコンテンツの視聴履歴を示すコンテンツ視聴履歴情報と、を取得させる処理、取得した上記識別情報、上記放送番組視聴履歴情報、および上記コンテンツ視聴履歴情報を参照し、上記放送番組と上記コンテンツとの関連度を算出させる処理、を実行させる。
【００１０】
また、上記の課題を解決するために、本発明の一態様に係る方法は、複数の表示装置の各々を特定するための識別情報と、各表示装置において視聴された放送番組の視聴履歴を示す放送番組視聴履歴情報と、各表示装置において視聴されたコンテンツであって、ネットワーク経由で配信されたコンテンツの視聴履歴を示すコンテンツ視聴履歴情報と、を取得する取得ステップと、上記取得ステップにおいて取得した上記識別情報、上記放送番組視聴履歴情報、および上記コンテンツ視聴履歴情報を参照し、上記放送番組と上記コンテンツとの関連度を算出する算出ステップと、を含む。
【００１１】
また、上記の課題を解決するために、本発明の一態様に係るシステムは、複数の放送番組受信端末と、サーバと、を備えるシステムであって、上記複数の放送番組受信端末の各々は、放送番組受信部と、通信部と、制御部と、を備え、上記制御部は、上記通信部を介して、上記複数の放送番組受信端末の各々を特定するための識別情報と、上記放送番組受信部を介して受信した放送番組の視聴履歴を示す放送番組視聴履歴情報と、上記通信部を介してネットワーク経由で受信したコンテンツの視聴履歴を示すコンテンツ視聴履歴情報と、を出力し、上記サーバは、通信部と、制御部と、を備え、上記制御部は、上記通信部を介して、上記識別情報と、上記放送番組視聴履歴情報と、上記コンテンツ視聴履歴情報と、を取得し、取得した上記識別情報、上記放送番組視聴履歴情報、および上記コンテンツ視聴履歴情報を参照し、上記放送番組と上記コンテンツとの関連度を算出する。
【００１２】
また、上記の課題を解決するために、本発明の一態様に係る放送番組受信部と、通信部と、制御部と、を備える放送番組受信端末であって、上記制御部は、当該放送番組受信端末を特定するための識別情報と、上記放送番組受信部を介して受信した放送番組の視聴履歴を示す放送番組視聴履歴情報と、上記通信部を介してネットワーク経由で受信したコンテンツの視聴履歴を示すコンテンツ視聴履歴情報と、を出力する。
【００１３】
また、上記の課題を解決するために、本発明の一態様に係るプログラムは、放送番組受信部と、通信部と、制御部と、を備える放送番組受信端末としてコンピュータを機能させるためのプログラムであって、上記制御部に、当該放送番組受信端末を特定するための識別情報と、上記放送番組受信部を介して受信した放送番組の視聴履歴を示す放送番組視聴履歴情報と、上記通信部を介してネットワーク経由で受信したコンテンツの視聴履歴を示すコンテンツ視聴履歴情報と、を出力させる処理、を実行させる。
【発明の効果】
【００１４】
本発明の一態様によれば、ユーザが視聴した放送番組とネットワーク経由で配信されたコンテンツの関連性を導き出すことができる。
【図面の簡単な説明】
【００１５】
【図１】本発明の実施形態１における視聴履歴分析システムの要部構成を示すブロック図である。
【図２】本発明の実施形態１における視聴履歴分析サーバの要部構成を示すブロック図である。
【図３】本発明の実施形態１における視聴履歴分析システムにおいてテレビがサイトを表示する処理の流れを示すフローチャートである。
【図４】本発明の実施形態１におけるサイト画像の例である。
【図５】本発明の実施形態１における視聴履歴分析システムにおいてコンテンツの再生を一時停止する処理の流れを示すフローチャートである。
【図６】本発明の実施形態１における視聴履歴分析システムにおいてコンテンツの再生を終了する処理の流れを示すフローチャートである。
【図７】本発明の実施形態１におけるテーブルの例である。
【図８】本発明の実施形態１において分析されたデータを含む分析テーブルの例である。
【図９】本発明の実施形態１における視聴履歴分析サーバにおいて生成されるテーブルの例である。
【図１０】コンテンツ配信サーバ、サイトサーバ、視聴履歴分析サーバ、またはテレビとして利用可能なコンピュータのハードウェア構成を例示したブロック図である。
【図１１】本発明の実施形態２における視聴履歴分析システムの要部構成を示すブロック図である。
【図１２】本発明の実施形態２における視聴履歴分析システムにおいてテレビがサイトを表示する処理の流れを示すフローチャートである。
【図１３】本発明の実施形態２における視聴履歴分析システムにおいてコンテンツの再生を一時停止する処理の流れを示すフローチャートである。
【図１４】本発明の実施形態２における視聴履歴分析システムにおいてコンテンツの再生を終了する処理の流れを示すフローチャートである。
【図１５】本発明の実施形態３における視聴履歴分析システムの要部構成を示すブロック図である。
【図１６】本発明の実施形態３における視聴履歴分析システムにおいてテレビがサイトを表示する処理の流れを示すフローチャートである。
【図１７】本発明の実施形態４における視聴履歴分析システムの要部構成を示すブロック図である。
【図１８】本発明の実施形態４における視聴履歴分析システムにおいてコンテンツ配信サーバがコンテンツの出力の要求を受け付けるまでの処理の流れを示すフローチャートである。
【図１９】本発明の実施形態４における視聴履歴分析システムにおいてテレビがサイトを表示する処理の流れを示すフローチャートである。
【図２０】本発明の実施形態４における視聴履歴分析システムにおいてサイト接続端末がサイト情報を取得するまでの処理の流れを示すフローチャートである。
【図２１】本発明の実施形態４における視聴履歴分析システムにおいてコンテンツの再生を一時停止する処理の流れを示すフローチャートである。
【図２２】本発明の実施形態４における視聴履歴分析システムにおいてコンテンツの再生を終了する処理の流れを示すフローチャートである。
【発明を実施するための形態】
【００１６】
〔実施形態１〕
以下、本発明の実施の形態について、図１〜図９を用いて詳細に説明する。
【００１７】
（視聴履歴分析システム１）
図１は、本発明の実施形態１における視聴履歴分析システム１の要部構成を示すブロック図である。
【００１８】
視聴履歴分析システム（システム）１は、図１に示すように、コンテンツ配信サーバ１０、サイトサーバ（サーバ）２０、視聴履歴分析サーバ３０、およびテレビ（表示装置、放送番組受信端末）４０によって構成されている。
【００１９】
コンテンツ配信サーバ１０は、要求に応じて、テレビ４０へコンテンツを配信する。
【００２０】
サイトサーバ２０は、テレビ４０からの要求に応じて、コンテンツ配信サーバ１０へコンテンツの出力を要求する。また、サイトサーバ２０は、テレビ４０からの要求に応じて、テレビ４０にサイトを表示させるための情報であるサイト情報をテレビ４０へ出力する。また、サイトサーバ２０は、テレビ４０において視聴されたコンテンツの視聴履歴を示すコンテンツ視聴履歴情報を視聴履歴分析サーバ３０へ出力する。ここで、サイト情報とは、後述するコンテンツのメタ情報を参照して生成される情報である。
【００２１】
また、「テレビ４０において視聴されたコンテンツ」とは、テレビ４０が表示したコンテンツのうち、ユーザが視聴したコンテンツであってもよいし、ユーザの状態に関わらず、テレビ４０が表示したコンテンツであってもよい。本明細書では、「テレビ４０において視聴されたコンテンツ」が、テレビ４０が表示したコンテンツを指す場合について説明する。なお、テレビ４０が表示したコンテンツが、ユーザが視聴したコンテンツであるか否かを判定する方法として、テレビ４０を視聴するユーザを撮影するカメラによって撮影された撮影画像を参照することにより、テレビ４０が表示したコンテンツが、ユーザが視聴したか否かを判定する方法が挙げられる。
【００２２】
視聴履歴分析サーバ３０は、複数のテレビ４０（図１においては１つのみ図示）の各々を特定するためのテレビＩＤと、各テレビにおいて視聴された放送番組（以下、単に「番組」と称する場合もある）の視聴履歴を示す放送番組視聴履歴情報と、各テレビにおいて視聴されたコンテンツであって、ネットワーク経由で配信されるコンテンツの視聴履歴を示すコンテンツ視聴履歴情報とを取得する。視聴履歴分析サーバ３０は、取得した放送番組視聴履歴情報およびコンテンツ視聴履歴情報を参照し、放送番組とコンテンツとの関連度を算出する。なお、「各テレビにおいて視聴された放送番組」についても、上述した「視聴されたコンテンツ」と同様、各テレビが表示した放送番組のうち、ユーザが視聴した放送番組であってもよいし、ユーザの状態に関わらず、各テレビが表示したコンテンツであってもよい。
【００２３】
テレビ４０は、放送番組を受信して表示する機能と、ネットワーク経由で受信したコンテンツを表示する機能とを備える。また、テレビ４０は、テレビ４０を特定するためのテレビＩＤと、視聴された放送番組の視聴履歴を示す放送番組視聴履歴情報とを出力する。
【００２４】
以下に、コンテンツ配信サーバ１０、サイトサーバ２０、視聴履歴分析サーバ３０、およびテレビ４０の各々の構成について説明する。
【００２５】
（コンテンツ配信サーバ１０）
コンテンツ配信サーバ１０は、図１に示すように、コンテンツ配信サーバ通信部１２、コンテンツ配信サーバ制御部１４、およびコンテンツ配信サーバ記憶部１６を備えている。
【００２６】
コンテンツ配信サーバ通信部１２は、外部の機器と情報を送受信することができる。コンテンツ配信サーバ通信部１２は、ＬＡＮケーブルが接続されるＬＡＮ端子や無線ＬＡＮインターフェースにより実現される。
【００２７】
コンテンツ配信サーバ制御部１４は、コンテンツ配信サーバ１０の各構成を統括的に制御するものであり、ＣＰＵ（Central Processing Unit）により実現される。
【００２８】
コンテンツ配信サーバ記憶部１６は、データを記憶することができる。
【００２９】
（サイトサーバ２０）
サイトサーバ２０は、図１に示すように、サイトサーバ通信部２２、サイトサーバ制御部２４、およびサイトサーバ記憶部２６を備えている。
【００３０】
サイトサーバ通信部２２は、外部の機器と情報を送受信することができる。サイトサーバ通信部２２は、ＬＡＮケーブルが接続されるＬＡＮ端子や無線ＬＡＮインターフェースにより実現される。
【００３１】
サイトサーバ制御部２４は、サイトサーバ２０の各構成を統括的に制御するものであり、ＣＰＵ（Central Processing Unit）により実現される。
【００３２】
サイトサーバ記憶部２６は、データを記憶することができる。
【００３３】
（視聴履歴分析サーバ３０）
視聴履歴分析サーバ３０は、図１に示すように、視聴履歴分析サーバ通信部（通信部）３２、視聴履歴分析サーバ制御部（制御部）３４、および視聴履歴分析サーバ記憶部３６を備えている。
【００３４】
視聴履歴分析サーバ通信部３２は、外部の機器と情報を送受信することができる。視聴履歴分析サーバ通信部３２は、ＬＡＮケーブルが接続されるＬＡＮ端子や無線ＬＡＮインターフェースにより実現される。
【００３５】
視聴履歴分析サーバ制御部３４は、視聴履歴分析サーバ３０の各構成を統括的に制御するものであり、ＣＰＵ（Central Processing Unit）により実現される。視聴履歴分析サーバ制御部３４の詳細については、後述する。
【００３６】
視聴履歴分析サーバ記憶部３６は、データを記憶することができる。
【００３７】
（視聴履歴分析サーバ制御部３４）
視聴履歴分析サーバ制御部３４について、図２を用いて説明する。図２は、本発明の実施形態１における視聴履歴分析サーバ３０の要部構成を示すブロック図である。
【００３８】
視聴履歴分析サーバ制御部３４は、図２に示すように、視聴履歴情報取得部３４２、視聴履歴情報管理部３４４、視聴履歴分析部３４６、および分析データ出力部３４８としても機能する。
【００３９】
視聴履歴情報取得部３４２は、放送番組視聴履歴情報、およびテレビＩＤを、視聴履歴分析サーバ通信部３２を制御してテレビ４０から取得する。
【００４０】
なお、本明細書では、視聴履歴分析サーバ３０がテレビ４０を識別するためのテレビＩＤをテレビ４０から取得する構成について説明しているが、テレビＩＤには、テレビ４０を識別するための情報に加えて、テレビ４０を使用する使用者を識別するための情報であるテレビ使用者情報が含まれていてもよい。また、視聴履歴分析サーバ３０は、テレビＩＤに替えて、テレビ使用者情報をテレビ４０から取得する構成であってもよい。
【００４１】
また、視聴履歴情報取得部３４２は、コンテンツ視聴履歴情報を、視聴履歴分析サーバ通信部３２を制御してサイトサーバ２０から取得する。
【００４２】
視聴履歴分析部３４６は、テレビＩＤ、放送番組視聴履歴情報、およびコンテンツ視聴履歴情報を参照し、分析データを生成する。
【００４３】
視聴履歴情報管理部３４４は、放送番組視聴履歴情報、およびコンテンツ視聴履歴情報を、視聴履歴分析サーバ記憶部３６に記憶させる。また、視聴履歴情報管理部３４４は、放送番組視聴履歴情報、およびコンテンツ視聴履歴情報を、視聴履歴分析サーバ記憶部３６から読み出し、視聴履歴分析部３４６へ出力する。
【００４４】
分析データ出力部３４８は、分析データを、視聴履歴分析サーバ通信部３２を制御して外部の機器へ出力する。
【００４５】
（テレビ４０）
テレビ４０は、図１に示すように、テレビ通信部（通信部）４２、テレビ制御部（制御部）４４、表示部４６、操作部４８、放送番組受信部５０、およびテレビ記憶部５２を備えている。
【００４６】
テレビ通信部４２は、外部の機器と情報を送受信することができる。テレビ通信部４２は、ＬＡＮケーブルが接続されるＬＡＮ端子や無線ＬＡＮインターフェースにより実現される。
【００４７】
テレビ制御部４４は、テレビ４０の各構成を統括的に制御するものであり、ＣＰＵ（Central Processing Unit）により実現される。テレビ制御部４４の詳細については、後述する。
【００４８】
表示部４６は、テレビ制御部４４から出力される画像信号が示す画像を表示する。表示部４６は、バックライトを有した透過型の液晶パネルや有機ＥＬ（Electro luminescence）ディスプレイなどにより実現される。
【００４９】
操作部４８は、ユーザの操作を受け付け、当該操作を示す操作情報を出力する。操作部４８は、リモートコントローラ（不図示）から送信される赤外線信号を受光する赤外線信号受光部や、スイッチ、タッチパッドなどにより実現される。
【００５０】
放送番組受信部５０は、放送番組データを受信する。放送番組受信部５０が受信する放送番組データは、放送波を介して放送されるものであってもよいし、ネットワーク経由で配信されるものであってもよい。
【００５１】
テレビ記憶部５２は、データを記憶することができる。
【００５２】
なお、テレビ４０は、表示情報取得部４４４および表示制御部４４２として機能するテレビ制御部と、表示部４６と、テレビ通信部４２とを備える表示装置であってもよい。この場合、他の装置が放送番組およびコンテンツを受信し、受信した放送番組およびコンテンツをテレビ４０が表示する。また、この場合、他の装置が放送番組およびコンテンツを受信し、放送番組視聴履歴情報およびコンテンツ視聴履歴情報を出力する。他の装置の例として、セットトップボックスが挙げられる。
【００５３】
（テレビ制御部４４）
テレビ制御部４４は、表示制御部４４２、表示情報取得部４４４、操作受付部４４６、コンテンツ要求部４４８、放送番組選択部４５０、および視聴履歴管理部４５２としても機能する。
【００５４】
表示制御部４４２は、表示部４６に表示させる画像を示す画像信号を出力する。より具体的には、表示制御部４４２は、（１）表示情報取得部４４４が取得したコンテンツおよびサイト情報に応じた画像を示す画像信号、および（２）放送番組選択部４５０が選択した放送番組に応じた画像を示す画像信号、を出力する。
【００５５】
表示情報取得部４４４は、コンテンツ配信サーバ１０から出力されたコンテンツ、およびサイトサーバ２０から出力されたサイト情報を、テレビ通信部４２を制御して取得する。
【００５６】
操作受付部４４６は、操作部４８から出力される操作信号を取得する。
【００５７】
コンテンツ要求部４４８は、テレビ通信部４２を制御して、コンテンツ配信サーバ１０にコンテンツの出力を要求する。なお、当該要求は、サイトサーバ２０に対するサイト情報の出力の要求とも言い換えることができる。
【００５８】
放送番組選択部４５０は、操作受付部４４６が取得した操作部４８から出力される操作情報に応じて、放送番組受信部５０が受信した複数の放送番組から所望の放送番組を選択する。
【００５９】
視聴履歴管理部４５２は、選択された放送番組の視聴履歴情報を管理する。具体的には、視聴履歴情報をテレビ記憶部５２に記憶させると共に、テレビ記憶部５２に記憶されている視聴履歴情報を読み出し、テレビ通信部４２を制御して視聴履歴分析サーバ３０へ出力する。
【００６０】
（サイトを表示する処理）
視聴履歴分析システム１においてテレビ４０がサイトを表示する処理について、図３を用いて説明する。図３は、本発明の実施形態１における視聴履歴分析システム１においてテレビ４０がサイトを表示する処理の流れを示すフローチャートである。
【００６１】
（ステップＳ２）
まず、コンテンツ配信サーバ１０には、予めコンテンツの提供者によって提供されたコンテンツと、当該コンテンツのメタ情報とが関連付けてコンテンツ配信サーバ記憶部１６に格納されている。コンテンツ配信サーバ制御部１４は、コンテンツ配信サーバ記憶部１６に格納されているメタ情報を、コンテンツ配信サーバ通信部１２を介してサイトサーバ２０に出力する。
【００６２】
なお、ステップＳ２の処理が実行されるタイミングは特に限定されず、例えば、（１）コンテンツと当該コンテンツのメタ情報がコンテンツ配信サーバ記憶部１６に格納されたとき、（２）所定の時間（例えば１時間、１日など）が経過したとき、などのタイミングにおいて実行されればよい。
【００６３】
（ステップＳ４）
サイトサーバ２０のサイトサーバ制御部２４は、サイトサーバ通信部２２を介して、コンテンツ配信サーバ１０から出力されたメタ情報を取得する。そして、サイトサーバ制御部２４は、取得したメタ情報をサイトサーバ記憶部２６に格納する。
【００６４】
（ステップＳ６）
テレビ４０の視聴履歴管理部４５２は、テレビ通信部４２を介して、テレビ４０のテレビＩＤと、テレビ記憶部５２に格納されている放送番組視聴履歴情報とを出力する。ここで、テレビ４０が放送番組視聴履歴情報を管理する方法について、詳しく説明する。
【００６５】
まず、視聴履歴管理部４５２は、放送番組選択部４５０から、選択された放送番組の番組情報を取得する。そして、視聴履歴管理部４５２は、取得した放送番組情報に含まれる番組ＩＤと、当該番組を視聴した期間（視聴を開始した時刻および視聴を終了した時刻）とを関連付けて、放送番組視聴履歴情報を生成する。
【００６６】
ここで、番組情報について、図７の（ｄ）を用いて説明する。図７は、本発明の実施形態１におけるテーブルの例であり、（ｄ）は、番組情報をテーブル形式で表示した例である。図７の（ｄ）に示す番組情報には、「番組ＩＤ」、「放送局」、「番組名」、「放送開始時刻」、「放送終了時刻」、「時間」が含まれている。
【００６７】
「番組ＩＤ」は、当該放送番組を特定するための識別情報である。
【００６８】
「放送局」は、当該放送番組を放送する放送局を示す情報である。
【００６９】
「番組名」は、当該放送番組の番組名を示す情報である。
【００７０】
「放送開始時刻」は、当該放送番組の放送開始時刻を示す情報である。
【００７１】
「放送終了時刻」は、当該放送番組の放送終了時刻を示す情報である。
【００７２】
「時間」は、当該放送番組の長さを示す情報である。
【００７３】
なお、ステップＳ６の処理が実行されるタイミングは特に限定されず、例えば、（１）テレビ４０の電源がＯＮになったとき、（２）視聴する放送番組を変更するなど、テレビ４０に対して操作を行ったとき、（３）所定の時間（例えば、１時間、１日など）が経過したとき、などのタイミングにおいて実行されればよい。
【００７４】
（ステップＳ８：取得ステップ）
視聴履歴分析サーバ３０の視聴履歴情報取得部３４２は、視聴履歴分析サーバ通信部３２を介して、テレビ４０から出力されたテレビＩＤおよび放送番組視聴履歴情報を取得する。視聴履歴情報取得部３４２は、取得したテレビＩＤおよび放送番組視聴履歴情報を、視聴履歴情報管理部３４４に出力する。視聴履歴情報管理部３４４は、取得したテレビＩＤおよび放送番組視聴履歴情報を関連付けて視聴履歴分析サーバ記憶部３６に格納する。
【００７５】
（ステップＳ１０）
続いて、テレビ４０の操作受付部４４６は、操作部４８を介してサイトを表示する旨の操作信号を取得すると、当該操作信号をコンテンツ要求部４４８に出力する。
【００７６】
（ステップＳ１２）
コンテンツ要求部４４８は、取得した操作信号を参照し、テレビ通信部４２を介してサイトサーバ２０に対して、コンテンツの出力を要求する。より具体的には、コンテンツ要求部４４８は、要求するコンテンツを示すコンテンツ情報とテレビＩＤとを、テレビ通信部４２を介してサイトサーバ２０に出力する。
【００７７】
ここで、コンテンツ情報について、図７の（ｃ）を用いて説明する。図７の（ｃ）は、コンテンツ情報をテーブル形式で表示した例である。コンテンツ情報には、図７の（ｃ）に示すテーブル形式のコンテンツ情報には、「コンテンツＩＤ」、「コンテンツ配信元企業」、「コンテンツ名」、「時間」が含まれている。
【００７８】
「コンテンツＩＤ」は、当該コンテンツを特定するための識別情報である。
【００７９】
「コンテンツ配信元企業」は、当該コンテンツを配信した企業を示す情報である。
【００８０】
「コンテンツ名」は、当該コンテンツの名称を示す情報である。
【００８１】
「時間」は、当該コンテンツの再生可能時間を示す情報である。
【００８２】
（ステップＳ１４）
サイトサーバ２０のサイトサーバ制御部２４は、サイトサーバ通信部２２を介してテレビ４０から出力されたコンテンツ情報およびテレビＩＤを取得し、コンテンツの出力の要求を受け付ける。
【００８３】
（ステップＳ１６）
サイトサーバ制御部２４は、サイトサーバ通信部２２を介してコンテンツ配信サーバ１０に対して、取得したコンテンツ情報が示すコンテンツの出力を要求する。より具体的には、サイトサーバ制御部２４は、取得したテレビＩＤによって特定されるテレビ４０に対して、取得したコンテンツ情報が示すコンテンツを出力するよう要求する。
【００８４】
（ステップＳ１８）
コンテンツ配信サーバ１０のコンテンツ配信サーバ制御部１４は、コンテンツ配信サーバ通信部１２を介してコンテンツの出力の要求を受け付ける。
【００８５】
（ステップＳ２０）
サイトサーバ制御部２４は、ステップＳ１４において取得したコンテンツ情報を参照することによって、当該コンテンツ情報が示すコンテンツに関連付けられたメタ情報をサイトサーバ記憶部２６から取得し、サイト情報を生成する。そして、サイトサーバ制御部２４は、サイトサーバ通信部２２を介して、生成したサイト情報を出力する。
【００８６】
（ステップＳ２２）
テレビ４０の表示情報取得部４４４は、テレビ通信部４２を介してサイト情報を取得する。そして、表示情報取得部４４４は、取得したサイト情報を、表示制御部４４２に出力する。
【００８７】
（ステップＳ２４）
コンテンツ配信サーバ１０のコンテンツ配信サーバ制御部１４は、ステップＳ１８において受け付けた要求に応じて、コンテンツ配信サーバ記憶部１６からコンテンツを取得し、当該コンテンツをコンテンツ配信サーバ通信部１２を介してテレビ４０に出力する。
【００８８】
（ステップＳ２６）
テレビ４０の表示情報取得部４４４は、テレビ通信部４２を介してコンテンツを取得する。そして、表示情報取得部４４４は、取得したコンテンツを、表示制御部４４２に出力する。
【００８９】
（ステップＳ２８）
表示制御部４４２は、取得したサイト情報を参照し、取得したコンテンツを含むサイト画像を表示部４６に表示する。
【００９０】
（ステップＳ３０）
サイトサーバ制御部２４は、ステップＳ１４において取得したコンテンツ情報を参照してコンテンツ視聴履歴情報を生成し、当該コンテンツ視聴履歴情報と、ステップＳ１４において取得したテレビＩＤとを、サイトサーバ通信部２２を介して視聴履歴分析サーバ３０に出力する。ステップＳ３０において生成されるコンテンツ視聴履歴情報には、コンテンツ情報、およびコンテンツの視聴を開始した時刻を示す視聴開始時刻情報が含まれている。
【００９１】
コンテンツ視聴履歴情報に含まれる視聴開始時刻情報は、ステップＳ１４においてテレビ４０から出力された情報をサイトサーバ制御部２４が取得した時刻を示す情報であってもよいし、サイトサーバ制御部２４がステップＳ１６の処理を実行した時刻を示す情報であってもよい。また、サイトサーバ制御部２４は、コンテンツ配信サーバ１０から、ステップＳ２４の処理を実行した旨を示す情報を取得する構成であってもよく、この構成の場合、コンテンツ視聴履歴情報に含まれる視聴開始時刻情報は、ステップＳ２４の処理を実行した旨を示す情報をサイトサーバ制御部２４が取得した時刻を示す情報であってもよい。
【００９２】
（ステップＳ３２：取得ステップ）
視聴履歴分析サーバ３０の視聴履歴情報取得部３４２は、視聴履歴分析サーバ通信部３２を介してコンテンツ視聴履歴情報およびテレビＩＤを取得する。そして、視聴履歴情報取得部３４２は、取得したコンテンツ視聴履歴情報およびテレビＩＤを視聴履歴情報管理部３４４に出力する。視聴履歴情報管理部３４４は、取得した視聴履歴情報およびテレビＩＤを関連付けて視聴履歴分析サーバ記憶部３６に格納する。
【００９３】
なお、コンテンツ視聴履歴情報は、サイトサーバ２０に替えて、テレビ４０が出力する構成であってもよい。より具体的には、コンテンツ要求部４４８は、ステップＳ１２において出力するコンテンツ情報を、サイトサーバ２０に出力するとともに視聴履歴管理部４５２に出力する。視聴履歴管理部４５２は、当該コンテンツ情報と、当該コンテンツ情報を取得した時刻を示す視聴開始時刻とを関連付けたコンテンツ視聴履歴情報をテレビ記憶部５２に格納する。
【００９４】
そして、視聴履歴管理部４５２は、所定のタイミングにおいて、テレビ記憶部５２に格納したコンテンツ視聴履歴情報およびテレビＩＤを、テレビ通信部４２を介して視聴履歴分析サーバ３０に出力する。所定のタイミングについては特に限定されないが、例えば、（１）視聴履歴管理部４５２が放送番組視聴履歴情報を出力するとき、（２）コンテンツ視聴履歴情報をテレビ記憶部５２に格納したとき、（３）所定の時間（例えば、１時間、１日など）が経過したとき、（４）視聴するコンテンツを操作したとき、などのタイミングにおいて実行されればよい。なお、視聴履歴管理部４５２は、視聴開始時刻を、コンテンツ情報を取得した時刻に替えて、表示情報取得部４４４がコンテンツを取得した時刻としてもよい。
【００９５】
さらに、コンテンツ視聴履歴情報は、サイトサーバ２０に替えて、コンテンツ配信サーバ１０が出力する構成であってもよい。この場合、コンテンツ配信サーバ制御部１４は、ステップＳ１６において取得したコンテンツ情報を参照してコンテンツ視聴履歴情報を生成し、当該コンテンツ視聴履歴情報と、ステップＳ１６において取得したテレビＩＤとを、サイトサーバ通信部２２を介して視聴履歴分析サーバ３０に出力する。また、コンテンツ配信サーバ１０がコンテンツ視聴履歴情報およびテレビＩＤを出力するタイミングについても特に限定されないが、例えば、（１）ステップＳ２４においてコンテンツ配信サーバ制御部１４がコンテンツを出力したとき、（２）所定の時間（例えば、１時間、１日など）が経過したとき、などのタイミングにおいて実行されればよい。
【００９６】
なお、後述するステップＳ６０およびステップＳ８２においても同様に、サイトサーバ２０に替えて、テレビ４０またはコンテンツ配信サーバ１０がコンテンツ視聴履歴情報を出力する構成であってもよい。
【００９７】
（サイト画像の例）
上述したステップＳ２８において表示部４６に表示されるサイト画像の例を図４に示す。図４は、本発明の実施形態１におけるサイト画像の例である。
【００９８】
図４に示すサイト画像には、提供者リスト４６０、コンテンツリスト４６２、カーソル４６４、コンテンツ表示領域４６６、およびコンテンツ説明情報表示領域４６８が含まれている。
【００９９】
提供者リスト４６０は、コンテンツを提供する複数の提供者の各々を特定する各提供者情報をリスト化したものである。図４では、提供者リスト４６０には６つの提供者情報が含まれている。ユーザは、カーソル４６４の位置を、提供者リスト４６０に含まれる、提供者情報が表示されている位置に動かすことにより、後述するコンテンツリスト４６２に表示されるコンテンツ情報を変更することができる。
【０１００】
コンテンツリスト４６２は、複数のコンテンツの各々を特定する各コンテンツ情報をリスト化したものである。図４では、コンテンツリスト４６２には４つのコンテンツ情報が含まれている。ユーザは、カーソル４６４の位置を、コンテンツリスト４６２に含まれる、コンテンツ上が表示されている位置に変更することにより、後述するコンテンツ表示領域４６６およびコンテンツ説明情報表示領域４６８に表示されるコンテンツおよびコンテンツの説明情報を変更することができる。
【０１０１】
コンテンツ表示領域４６６には、コンテンツが表示される。コンテンツ表示領域４６６に表示される動画コンテンツは、コンテンツリスト４６２において選択決定されたコンテンツ情報に対応したコンテンツである。
【０１０２】
コンテンツ説明情報表示領域４６８は、コンテンツ表示領域４６６に表示されているコンテンツに関する情報が表示される。
【０１０３】
（コンテンツの再生を一時停止する処理）
視聴履歴分析システム１においてコンテンツの再生を一時停止する処理について、図５を用いて説明する。図５は、本発明の実施形態１における視聴履歴分析システム１においてコンテンツの再生を一時停止する処理の流れを示すフローチャートである。
【０１０４】
（ステップＳ４０）
テレビ４０の操作受付部４４６は、操作部４８を介してコンテンツの再生を一時停止する旨の操作信号を取得すると、当該操作信号をコンテンツ要求部４４８に出力する。
【０１０５】
（ステップＳ４２）
コンテンツ要求部４４８は、取得した操作信号を参照し、テレビ通信部４２を介してサイトサーバ２０に対して、表示しているコンテンツを一時停止する旨を示す情報とテレビＩＤとを出力し、表示しているコンテンツを一時停止するよう要求する。
【０１０６】
（ステップＳ４４）
サイトサーバ２０のサイトサーバ制御部２４は、サイトサーバ通信部２２を介して、テレビ４０から出力された情報（表示しているコンテンツを一時停止する旨を示す情報およびテレビＩＤ）を取得し、コンテンツの一時停止の要求を受け付ける。
【０１０７】
（ステップＳ４６）
サイトサーバ制御部２４は、サイトサーバ通信部２２を介して、コンテンツ配信サーバ１０に対して、一時停止するよう要求されているコンテンツの一時停止を要求する。より具体的には、サイトサーバ制御部２４は、取得したテレビＩＤによって特定されるテレビ４０に出力しているコンテンツを一時停止するよう要求する。
【０１０８】
（ステップＳ４８）
コンテンツ配信サーバ１０のコンテンツ配信サーバ制御部１４は、コンテンツ配信サーバ通信部１２を介してコンテンツの一時停止の要求を受け付ける。
【０１０９】
（ステップＳ５０）
サイトサーバ制御部２４は、ステップＳ４４において取得した情報を参照することによって、コンテンツを一時停止したときのサイト情報を生成する。そして、サイトサーバ制御部２４は、サイトサーバ通信部２２を介して、生成したサイト情報を出力する。
【０１１０】
（ステップＳ５２）
テレビ４０の表示情報取得部４４４は、テレビ通信部４２を介してサイト情報を取得する。そして、表示情報取得部４４４は、取得したサイト情報を、表示制御部４４２に出力する。
【０１１１】
なお、コンテンツを一時停止したときのサイト情報を生成するがない場合、換言すると、コンテンツを一時停止したときにテレビ４０に表示されるコンテンツ以外の画像に変化がない場合、ステップＳ５０およびステップＳ５２の処理は実行されない構成であってもよい。
【０１１２】
（ステップＳ５４）
コンテンツ配信サーバ１０のコンテンツ配信サーバ制御部１４は、ステップＳ４８において一時停止の要求を受け付けたコンテンツの出力を一時停止し、コンテンツ配信サーバ通信部１２を介して一時停止したコンテンツを出力する。
【０１１３】
（ステップＳ５６）
テレビ４０の表示情報取得部４４４は、テレビ通信部４２を介して、一時停止したコンテンツを取得する。そして、表示情報取得部４４４は、取得した一時停止したコンテンツを、表示制御部４４２に出力する。
【０１１４】
（ステップＳ５８）
表示制御部４４２は、取得したサイト情報を参照し、取得した一時停止したコンテンツを含むサイト画像を表示部４６に表示する。
【０１１５】
（ステップＳ６０）
サイトサーバ制御部２４は、ステップＳ４４において取得した情報を参照してコンテンツ視聴履歴情報を生成し、当該コンテンツ視聴履歴情報と、ステップＳ４４において取得したテレビＩＤとを、サイトサーバ通信部２２を介して視聴履歴分析サーバ３０に出力する。ステップＳ６０において生成されるコンテンツ視聴履歴情報には、コンテンツ情報、およびコンテンツを一時停止した時刻を示す視聴終了時刻情報が含まれている。
【０１１６】
コンテンツ視聴履歴情報に含まれる視聴終了時刻情報は、ステップＳ４４においてテレビ４０から出力された情報をサイトサーバ制御部２４が取得した時刻を示す情報であってもよいし、サイトサーバ制御部２４がステップＳ４６の処理を実行した時刻を示す情報であってもよい。また、サイトサーバ制御部２４は、コンテンツ配信サーバ１０から、ステップＳ５４の処理を実行した旨を示す情報を取得する構成であってもよく、この構成の場合、コンテンツ視聴履歴情報に含まれる視聴終了時刻情報は、ステップＳ５４の処理を実行した旨を示す情報をサイトサーバ制御部２４が取得した時刻を示す情報であってもよい。
【０１１７】
（ステップＳ６２：取得ステップ）
視聴履歴分析サーバ３０の視聴履歴情報取得部３４２は、視聴履歴分析サーバ通信部３２を介してコンテンツ視聴履歴情報およびテレビＩＤを取得する。そして、視聴履歴情報取得部３４２は、取得したコンテンツ視聴履歴情報およびテレビＩＤを視聴履歴情報管理部３４４に出力する。視聴履歴情報管理部３４４は、取得したコンテンツ視聴履歴情報およびテレビＩＤを関連付けて視聴履歴分析サーバ記憶部３６に格納する。
【０１１８】
なお、視聴履歴分析システム１において、テレビ４０が、一時停止されたコンテンツを再生する旨の操作をユーザから受け付けた場合、図３に示したフローチャートのステップＳ１２以降の処理を実行する。そして、ステップＳ２４において、コンテンツ配信サーバ１０のコンテンツ配信サーバ制御部１４は、出力の要求を受け付けたコンテンツ（すなわち、一時停止しているコンテンツ）の一時停止を解除して出力する。そして、ステップＳ３０において、サイトサーバ制御部２４は、テレビＩＤ，コンテンツ情報、および視聴開始時刻情報を含むコンテンツ視聴履歴情報を出力する。
【０１１９】
この構成により、視聴履歴分析サーバ３０は、コンテンツが一時停止されていた期間（視聴開始時刻情報が示す時刻から視聴終了時刻情報が示す時刻までの期間）はコンテンツが視聴されていなかった期間として、視聴履歴を分析することができる。換言すると、視聴履歴分析サーバ３０は、コンテンツが一時停止されていた期間は、後述する視聴継続時間から除くことにより、コンテンツが視聴された時間をより正確に分析することができる。
【０１２０】
（コンテンツの再生を終了する処理）
視聴履歴分析システム１においてコンテンツの再生を終了する処理について、図６を用いて説明する。図６は、本発明の実施形態１における視聴履歴分析システム１においてコンテンツの再生を終了する処理の流れを示すフローチャートである。
【０１２１】
（ステップＳ７０）
テレビ４０の操作受付部４４６は、操作部４８を介してコンテンツの再生を終了する旨の操作信号を取得すると、当該操作信号をコンテンツ要求部４４８に出力する。
【０１２２】
（ステップＳ７２）
コンテンツ要求部４４８は、取得した操作信号を参照し、テレビ通信部４２を介してサイトサーバ２０に対して、表示しているコンテンツを終了する旨を示す情報とテレビＩＤとを含む情報を出力し、表示しているコンテンツの終了を要求する。
【０１２３】
（ステップＳ７４）
サイトサーバ２０のサイトサーバ制御部２４は、サイトサーバ通信部２２を介して、テレビ４０から出力された情報（表示しているコンテンツを終了する旨を示す情報とテレビＩＤとを含む情報）を取得し、コンテンツの終了の要求を受け付ける。
【０１２４】
（ステップＳ７６）
サイトサーバ制御部２４は、サイトサーバ通信部２２を介して、コンテンツ配信サーバ１０に対して、終了するよう要求されているコンテンツの終了を要求する。より具体的には、サイトサーバ制御部２４は、取得したテレビＩＤによって特定されるテレビ４０に対して、コンテンツの出力を終了するよう要求する。
【０１２５】
（ステップＳ７８）
コンテンツ配信サーバ１０のコンテンツ配信サーバ制御部１４は、コンテンツ配信サーバ通信部１２を介してコンテンツの終了の要求を受け付ける。
【０１２６】
（ステップＳ８０）
コンテンツ配信サーバ１０のコンテンツ配信サーバ制御部１４は、終了の要求を受け付けたコンテンツの出力を終了する。
【０１２７】
（ステップＳ８２）
サイトサーバ制御部２４は、ステップＳ７４において取得した情報を参照してコンテンツ視聴履歴情報を生成し、当該コンテンツ視聴履歴情報と、ステップＳ７４において取得したテレビＩＤとを、サイトサーバ通信部２２を介して視聴履歴分析サーバ３０に出力する。ステップＳ８２において生成されるコンテンツ視聴履歴情報には、コンテンツ情報、およびコンテンツを終了した時刻を示す視聴終了時刻情報が含まれている。
【０１２８】
（ステップＳ８４：取得ステップ）
視聴履歴分析サーバ３０の視聴履歴情報取得部３４２は、視聴履歴分析サーバ通信部３２を介してコンテンツ視聴履歴情報およびテレビＩＤを取得する。そして、視聴履歴情報取得部３４２は、取得したコンテンツ視聴履歴情報およびテレビＩＤを視聴履歴情報管理部３４４に出力する。視聴履歴情報管理部３４４は、取得したコンテンツ視聴履歴情報およびテレビＩＤを関連付けて視聴履歴分析サーバ記憶部３６に格納する。
【０１２９】
コンテンツ視聴履歴情報に含まれる視聴終了時刻情報は、ステップＳ７４においてテレビ４０から出力された情報をサイトサーバ制御部２４が取得した時刻を示す情報であってもよいし、サイトサーバ制御部２４がステップＳ７６の処理を実行した時刻を示す情報であってもよい。また、サイトサーバ制御部２４は、コンテンツ配信サーバ１０から、ステップＳ８０の処理を実行した旨を示す情報を取得する構成であってもよく、この構成の場合、コンテンツ視聴履歴情報に含まれる視聴終了時刻情報は、ステップＳ８０の処理を実行した旨を示す情報をサイトサーバ制御部２４が取得した時刻を示す情報であってもよい。
【０１３０】
（コンテンツ視聴履歴テーブル）
視聴履歴分析サーバ３０の視聴履歴情報管理部３４４が管理するコンテンツ視聴履歴テーブルについて、図７の（ａ）を用いて説明する。図７の（ａ）は、コンテンツ視聴履歴テーブルの例である。
【０１３１】
視聴履歴情報管理部３４４は、コンテンツ視聴履歴情報およびテレビＩＤを取得すると、取得したコンテンツ視聴履歴情報に含まれる情報とテレビＩＤとをコンテンツ視聴履歴テーブルで管理する。コンテンツ視聴履歴テーブルでは、図７の（ａ）に示すように、項目「テレビＩＤ」、項目「コンテンツＩＤ」、項目「視聴開始時刻」、項目「視聴終了時刻」、および項目「視聴継続時間」が関連付けられている。
【０１３２】
項目「テレビＩＤ」には、取得したテレビＩＤの値が格納される。
【０１３３】
項目「コンテンツＩＤ」には、取得したコンテンツ視聴履歴情報に含まれるコンテンツ情報によって特定されるコンテンツのコンテンツＩＤの値が格納される。
【０１３４】
項目「視聴開始時刻」には、取得したコンテンツ視聴履歴情報に視聴開始時刻情報が含まれる場合、当該視聴開始時刻情報が示す時刻が格納される。
【０１３５】
項目「視聴終了時刻」には、取得したコンテンツ視聴履歴情報に視聴終了時刻情報が含まれる場合、当該視聴終了時刻情報が示す時刻が格納される。
【０１３６】
項目「視聴継続時間」には、項目「視聴開始時刻」および項目「視聴終了時刻」を参照することによって算出される、コンテンツが再生された時間が格納される。
【０１３７】
図７の（ａ）に示すコンテンツ視聴履歴テーブルの１行目のデータは、テレビＩＤ「Ｄ１０１」のテレビによって、コンテンツＩＤ「Ｃ１０１」のコンテンツが、２０１５年４月１１日の１８時０３分０５秒から、２０１５年４月１１日の１８時０４分０５秒までの０１分０１秒間、再生されたことを示している。
【０１３８】
（放送番組視聴履歴テーブル）
視聴履歴分析サーバ３０の視聴履歴情報管理部３４４が管理する放送番組視聴履歴テーブルについて、図７の（ｂ）を用いて説明する。図７の（ｂ）は、放送番組視聴履歴テーブルの例である。
【０１３９】
視聴履歴情報管理部３４４は、放送番組視聴履歴情報およびテレビＩＤを取得すると、取得した放送番組視聴履歴情報に含まれる情報とテレビＩＤとを放送番組視聴履歴テーブルで管理する。放送番組視聴履歴テーブルでは、図７の（ｂ）に示すように、項目「テレビＩＤ」、項目「番組ＩＤ」、項目「視聴開始時刻」、および項目「視聴終了時刻」が関連付けられている。
【０１４０】
項目「テレビＩＤ」には、取得したテレビＩＤの値が格納される。
【０１４１】
項目「コンテンツＩＤ」には、取得した放送番組視聴履歴情報に含まれるコンテンツ情報によって特定されるコンテンツのコンテンツＩＤの値が格納される。
【０１４２】
項目「視聴開始時刻」には、取得した放送番組視聴履歴情報に視聴開始時刻情報が含まれる場合、当該視聴開始時刻情報が示す時刻が格納される。
【０１４３】
項目「視聴終了時刻」には、取得した放送番組視聴履歴情報に視聴終了時刻情報が含まれる場合、当該視聴終了時刻情報が示す時刻が格納される。
【０１４４】
図７の（ｂ）に示す放送番組視聴履歴テーブルの１行目のデータは、テレビＩＤ「Ｄ１０１」のテレビによって、番組ＩＤ「Ｂ１０１」の放送番組が、２０１５年４月１８日の２１時００分００秒から、２０１５年４月１８日の２２時００分００秒までの期間、視聴されたこと示している。
【０１４５】
（分析データ）
視聴履歴分析部３４６が分析する処理（算出ステップ）について、図８を用いて説明する。図８は、本発明の実施形態１において分析されたデータを含む分析テーブルの例であり、（ａ）は、分析テーブルの一例であり、（ｂ）は、分析テーブルの他の例である。
【０１４６】
（分析テーブルの例１）
まず、視聴履歴分析部３４６が図８の（ａ）に示す分析テーブルを生成する場合について説明する。視聴履歴分析部３４６は、分析するために必要なデータを視聴履歴情報管理部３４４に要求する。より具体的には、視聴履歴分析部３４６は、番組１を表示したテレビの台数、および番組１を表示したテレビのうち、コンテンツＩＤ「Ｃ１０１」のコンテンツを表示したテレビの台数を視聴履歴情報管理部３４４に要求する。
【０１４７】
続いて、視聴履歴分析部３４６は、番組１を表示したテレビの台数、および番組１を表示したテレビのうち、コンテンツＩＤ「Ｃ１０１」のコンテンツを表示したテレビの台数を取得すると、番組１を表示したテレビのうち、コンテンツＩＤ「Ｃ１０１」のコンテンツを表示したテレビの割合を算出する。換言すると、視聴履歴分析部３４６は、所定のコンテンツを表示したテレビの総数に対する割合であって、所定の放送番組を表示したテレビのうち、所定のコンテンツを表示したテレビの総数の割合を算出する。ここで、所定の放送番組を表示したテレビのうち、所定のコンテンツを表示したテレビの割合を、所定の放送番組の平均視聴率（Ｂ）と称する。
【０１４８】
視聴履歴分析部３４６は、番組２〜番組６においても同様の処理を実行することにより、番組２〜番組６のそれぞれの平均視聴率（Ｂ）を算出する。そして、視聴履歴分析部３４６は、番組と当該番組の平均視聴率（Ｂ）とを関連付けることにより、図８の（ａ）に示す分析テーブルのうち、１列目と３列目の分析データが含まれる分析テーブルを生成することができる。
【０１４９】
当該分析テーブルを参照することにより、番組１〜番組６と、コンテンツＩＤ「Ｃ１０１」のコンテンツとの関連を導き出すことができる。より具体的には、番組１の平均視聴率（Ｂ）は「１２％」であり、番組２の平均視聴率（Ｂ）は「２５％」なので、コンテンツＩＤ「Ｃ１０１」のコンテンツを視聴したユーザは、番組１よりも番組２を視聴する傾向があることが導き出される。そのため、当該分析テーブルから、コンテンツＩＤ「Ｃ１０１」のコンテンツを提供する提供者は、番組１よりも番組２に当該コンテンツの広告を出した方が有効であることが導き出される。
【０１５０】
（分析テーブルの例２）
続いて、視聴履歴分析部３４６は、視聴履歴分析システム１に含まれるテレビの台数を視聴履歴情報管理部３４４に要求する。そして、視聴履歴分析部３４６は、視聴履歴分析システム１に含まれるテレビの台数と、上述した番組１を表示したテレビの台数を参照し、視聴履歴分析システム１に含まれるテレビのうち、番組１を表示したテレビの割合を算出する。ここで、所定の番組を表示したテレビの割合を、所定の番組の平均視聴率（Ａ）と称する。なお、平均視聴率（Ａ）の具体的な算出方法については、後述する。
【０１５１】
視聴履歴分析部３４６は、番組２〜番組６においても同様の処理を実行することにより、番組１〜番組５のそれぞれの平均視聴率（Ａ）を算出する。そして、視聴履歴分析部３４６は、番組と当該番組の平均視聴率（Ａ）とをさらに関連付けることにより、図８の（ａ）に示す分析テーブルのうち、１列目〜３列目の分析データが含まれる分析テーブルを生成することができる。
【０１５２】
続いて、視聴履歴分析部３４６は、２列目と３列目の分析データを参照し、番組１の平均視聴率（Ａ）に対する平均視聴率（Ｂ）の割合を算出する。換言すると、視聴履歴分析部３４６は、平均視聴率（Ｂ）を正規化した値を算出する。ここで、所定の番組における平均視聴率（Ｂ）を正規化した値を、所定の番組におけるコンテンツレバレッジ（Ｌｃ）（番組コンテンツ関連指数）と称する。コンテンツレバレッジ（Ｌｃ）は、平均視聴率（Ｂ）を平均視聴率（Ａ）で割った商である（コンテンツレバレッジ（Ｌｃ）＝平均視聴率（Ｂ）／平均視聴率（Ａ））。ここで、コンテンツレバレッジ（Ｌｃ）は、所定のコンテンツに関心を持つ視聴者が、所定の番組についてどの程度の関心を持っているかを示す指数である。
【０１５３】
視聴履歴分析部３４６は、番組２〜番組６においても同様の処理を実行することにより、番組２〜番組６のそれぞれのコンテンツレバレッジ（Ｌｃ）を算出する。そして、視聴履歴分析部３４６は、番組と当該番組のコンテンツレバレッジ（Ｌｃ）とを関連付けることにより、図８の（ａ）に示す分析テーブルを生成することができる。
【０１５４】
当該分析テーブルを参照することにより、番組１〜番組６と、コンテンツＩＤ「Ｃ１０１」のコンテンツとのより詳しい関連を導き出すことができる。より具体的には、番組１、番組３、および番組６の平均視聴率（Ｂ）は、ともに「１２％」である。そのため、平均視聴率（Ｂ）を参照するだけでは、番組１、番組３、および番組６の何れの番組に広告を出すのが有効かは導き出すことはできない。しかしながら、番組１、番組３、および番組６のコンテンツレバレッジ（Ｌｃ）はそれぞれ、「０．６０」、「１．００」、「６．００」と異なっている。そのため、番組１よりも番組３に当該コンテンツの広告を出した方が有効であることが導き出され、さらに、番組３によりも番組６に当該コンテンツの広告を出した方が有効であることが導き出される。
【０１５５】
（分析テーブルの例３）
続いて、視聴履歴分析部３４６が図８の（ｂ）に示す分析テーブルを生成する場合について説明する。視聴履歴分析部３４６は、図８の（ａ）に示す分析テーブルを参照し、各番組のコンテンツレバレッジ（Ｌｃ）から「１」を引いた値（以下、「Ｌｃ−１」と称する）を算出する（「Ｌｃ−１」＝コンテンツレバレッジ（Ｌｃ）−１）。ここで、「Ｌｃ−１」は、所定のコンテンツに関心を持つ視聴者が、所定の番組について一般に比べてどの程度関心を持っているかを示す指数である。そして、算出した値と各番組とを関連付けることにより、図８の（ｂ）に示す分析テーブルのうち、１列目〜５列目の分析データが含まれる分析テーブルを生成することができる。
【０１５６】
当該分析テーブルを参照することにより、番組１〜番組６と、コンテンツＩＤ「Ｃ１０１」のコンテンツとのより詳しい関連を導き出すことができる。より具体的には、番組１に関連付けられた項目「Ｌｃ−１」の値は「−０．４０」であり、番組２に関連付けられた項目「Ｌｃ−１」の値は「０．６７」である。そのため、コンテンツＩＤ「Ｃ１０１」のコンテンツに関心を持つ視聴者は、「Ｌｃ−１」の値がマイナスの番組１に対しては、一般に比べて関心が低く、「Ｌｃ−１」の値がプラスの番組３に対しては、一般に比べて関心が高いということが導き出される。
【０１５７】
（分析テーブルの例４）
続いて、視聴履歴分析部３４６は、各番組においてＣＭを出すための料金であるＣＭ出稿料（以下、「ＣＭ出稿料（Ｙ）」と称する）を示すＣＭ出稿料情報を取得する。ＣＭ出稿料情報は、視聴履歴分析サーバ通信部３２を介して取得する構成であってもよいし、視聴履歴分析サーバ３０が備える入力装置（不図示）を介して取得する構成であってもよい。
【０１５８】
視聴履歴分析部３４６は、各番組のＣＭ出稿料情報を取得すると、各番組について、ＣＭ出稿料（Ｙ）とコンテンツレバレッジ（Ｌｃ）との積（以下、「Ｌｃ×Ｙ」と称する）、およびＣＭ出稿料（Ｙ）と「Ｌｃ−１」の値との積（以下、「（Ｌｃ−１）×Ｙ」と称する）を算出する。ここで、「Ｌｃ×Ｙ」は、所定のコンテンツの提供者にとって、所定の番組における当該コンテンツのＣＭの価値を示し、「（Ｌｃ−１）×Ｙ」は、所定のコンテンツの提供者にとって、所定の番組における当該コンテンツのＣＭのｍ値を示す。そして、視聴履歴分析部３４６は、「ＣＭ出稿料（Ｙ）」、算出した各番組の「Ｌｃ×Ｙ」、および算出した各番組の「（Ｌｃ−１）×Ｙ」を、各番組と関連付けることにより、図８の（ｂ）に示す分析テーブルを生成することができる。
【０１５９】
当該分析テーブルを参照することにより、番組１〜番組６と、コンテンツＩＤ「Ｃ１０１」のコンテンツとのさらに詳しい関連を導き出すことができる。より具体的には、例えば、コンテンツＩＤ「Ｃ１０１」のコンテンツの提供者のＣＭ出稿料の予算が９００［千円］だった場合、「Ｌｃ×Ｙ」を参照し、番組１、番組３、および番組６にＣＭを出すと、予算内（８８０［千円］）に収めることができ、かつ、ＣＭの価値が１０８０［千円］であり、ＣＭ出稿料よりも高くなるため、効果的であることが導き出される。
【０１６０】
また、予算に関係なく付加価値の高い番組にＣＭを出したい場合、「（Ｌｃ−１）×Ｙ」を参照し、「（Ｌｃ−１）×Ｙ」の値が１００以上である番組６および番組２にＣＭを出すと効果的であることが導き出される。
【０１６１】
（平均視聴率（Ａ）の算出）
視聴履歴分析部３４６が平均視聴率（Ａ）を算出する例について、図９の（ａ）を用いて説明する。図９は、本発明の実施形態１における視聴履歴分析サーバにおいて生成されるテーブルの例であり、（ａ）は、平均視聴率（Ａ）を算出するときに生成されるテーブルの例である。なお、平均視聴率（Ａ）は、視聴履歴分析システム１に含まれないテレビの視聴履歴も参照した平均視聴率であってもよい。そのため、平均視聴率（Ａ）は、視聴履歴分析サーバ３０が算出する構成に限定されず、他のサーバから視聴履歴分析サーバ通信部３２を介して取得してもよいし、視聴履歴分析サーバ３０が備える入力装置（不図示）を介して取得する構成であってもよい。
【０１６２】
上述したように、視聴履歴情報管理部３４４は、放送番組視聴履歴情報を取得すると、取得した放送番組視聴履歴情報に含まれる情報を放送番組視聴履歴テーブルで管理する。ここで、放送番組視聴履歴情報に１分毎に視聴した番組を示す情報が含まれる場合、視聴履歴分析部３４６は、１分毎の平均視聴率を算出することができる。そして、算出した１分毎の平均視聴率、番組、および時刻を関連付けることにより、図９の（ａ）に示すテーブルのうち、１列目から１１列目までのテーブルを生成することができる。
【０１６３】
続いて、視聴履歴分析部３４６は、８時００分〜８時０９分の期間における番組１の１分毎の平均視聴率を加算する。そして、視聴履歴分析部３４６は、算出した値を番組と関連付けることにより、図９の（ａ）に示すテーブルのうち、１列目から１２列目までのテーブルを生成することができる。さらに、視聴履歴分析部３４６は、番組１の１分毎の平均視聴率を加算した値を、８時００分〜８時０９分の期間である「１０」分で割った商を算出し、８時００分〜８時０９分の期間における平均視聴率を算出する。そして、視聴履歴分析部３４６は、算出した値と番組とを関連付けることにより、図９の（ａ）に示すテーブルを生成することができる。
【０１６４】
このように、視聴履歴分析部３４６は、番組の１分毎の平均視聴率を算出することにより、所定の期間における番組の平均視聴率を算出する。そのため、視聴履歴分析部３４６は、平均視聴率を算出する期間を番組が放送された期間にすることにより、当該番組のより正確な平均視聴率を算出することができる。
【０１６５】
（コンテンツ視聴判定）
上述した（分析テーブルの例１）において説明したように、視聴履歴分析部３４６は所定のコンテンツを表示したテレビの台数を視聴履歴情報管理部３４４から取得する。一方、ユーザが操作を誤ってコンテンツを再生したり、コンテンツを視聴したが興味がなかったのですぐに再生を終了したりした場合であっても、当該コンテンツを表示したテレビの台数としてカウントされてしまう。そのため、ユーザが視聴した放送番組とネットワーク経由で配信されたコンテンツの関連性をより正確に導き出すため、視聴履歴分析部３４６は、所定のコンテンツを表示したテレビのうち、所定の条件を満たすテレビを、当該コンテンツを表示したテレビの台数としてカウントする構成が好ましい。当該構成の一例について、図９の（ｂ）を用いて説明する。図９の（ｂ）は、コンテンツ視聴履歴テーブルの他の例である。
【０１６６】
上述したように、視聴履歴分析部３４６は、コンテンツ視聴履歴情報およびテレビＩＤを取得すると、図９の（ｂ）に示すようなコンテンツ視聴履歴テーブルを生成する。そして、視聴履歴分析部３４６は、コンテンツＩＤ「Ｃ１０１」のコンテンツを表示したテレビをカウントするときに、所定の条件を満たすか否かを判定する。所定の条件の例として、所定の期間内に当該コンテンツを再生した視聴継続時間の最長が、所定の時間以上であること、が挙げられる。以下では、所定の条件を、４月１１日にコンテンツＩＤ「Ｃ１０１」のコンテンツを再生しており、かつ、最長の視聴継続時間が当該コンテンツの長さ（８０秒）の７０％以上（５６秒以上）であること、とする。
【０１６７】
この場合、図９の（ｂ）に示すコンテンツ視聴履歴テーブルでは、テレビＩＤ「Ｄ１０１」のテレビにおいて、コンテンツＩＤ「Ｃ１０１」のコンテンツが４月１１日に１分０１秒（６１秒）視聴されており、上記条件を満たしているので、視聴履歴分析部３４６は、テレビＩＤ「Ｄ１０１」のテレビを、コンテンツＩＤ「Ｃ１０１」のコンテンツを表示したテレビとしてカウントする。
【０１６８】
一方、テレビＩＤ「Ｄ１０３」のテレビでは、コンテンツＩＤ「Ｃ１０１」のコンテンツが視聴されたのは４月１２日と４月２９日であり、上記条件を満たさないので、視聴履歴分析部３４６は、テレビＩＤ「Ｄ１０１」のテレビを、コンテンツＩＤ「Ｃ１０１」のコンテンツを表示したテレビとしてカウントしない。
【０１６９】
このように、視聴履歴分析システム１では、視聴履歴分析部３４６は、所定のコンテンツの視聴継続時間が所定の期間以下のテレビを、当該所定のコンテンツが視聴されたテレビとしてカウントしないことにより、放送番組とネットワーク経由で配信されたコンテンツの関連性をより正確に導き出すことができる。
【０１７０】
なお、所定の条件は上記の例に限定されず、例えば、（１）４月１日〜４月３０日までの間において、最長の視聴継続時間がコンテンツの長さの７０％以上であること、（２）４月１日〜４月３０日までの間において、コンテンツが視聴された時間の合計が当該コンテンツの長さの７０％以上であること、などであってもよい。
【０１７１】
例えば、上記（１）の条件の場合、図９の（ｂ）に示すコンテンツ視聴履歴テーブルにおいては、テレビＩＤ「Ｄ１０３」のテレビは、４月１２日に４０秒（コンテンツの長さの７０％未満）表示しているが、４月２９日に５６秒（コンテンツの長さの７０％以上）表示しているので、視聴履歴分析部３４６は、テレビＩＤ「Ｄ１０３」のテレビを、コンテンツＩＤ「Ｃ１０１」のコンテンツを表示したテレビとしてカウントする。
【０１７２】
このように、視聴履歴分析システム１では、視聴履歴分析サーバ３０は、視聴履歴分析サーバ通信部３２（通信部）と、視聴履歴分析サーバ制御部３４（制御部）とを備え、視聴履歴分析サーバ制御部３４は、視聴履歴分析サーバ通信部３２を介して、複数のテレビの各々を特定するためのテレビＩＤ（識別情報）と、各テレビにおいて視聴された放送番組の視聴履歴を示す放送番組視聴履歴情報と、各テレビにおいて視聴されたコンテンツであって、ネットワーク経由で配信されたコンテンツの視聴履歴を示すコンテンツ視聴履歴情報と、を取得し、取得したテレビＩＤ，放送番組視聴履歴情報、およびコンテンツ視聴履歴情報を参照し、放送番組とコンテンツとの関連度を算出する。そのため、視聴履歴分析サーバ３０は、各テレビにおいて視聴された放送番組と、各テレビにおいて視聴されたコンテンツであって、ネットワーク経由で配信されたコンテンツとをテレビごとに関連付けることができるので、ユーザが視聴した放送番組とネットワーク経由で配信されたコンテンツの関連性を導き出すことができる。
【０１７３】
また、視聴履歴分析サーバ３０は、関連度として、所定のコンテンツを表示したテレビの総数に対する割合であって、所定の放送番組を表示したテレビのうち、所定のコンテンツを表示したテレビの総数の割合を算出する。この構成により、視聴履歴分析サーバ３０は、所定の放送番組を視聴したユーザのうち、どの程度の割合のユーザが所定のコンテンツを視聴しているのかを示す関連度を算出することができる。そのため、ユーザが視聴した放送番組とネットワーク経由で受信されたコンテンツのより詳細な関連性を導き出すことができる。
【０１７４】
また、視聴履歴分析サーバ３０は、上記割合を正規化した値をさらに算出する。この構成により、視聴履歴分析サーバ３０は、例えば、所定の放送番組を表示したテレビのうち、所定のコンテンツを表示したテレビの割合を示す平均視聴率（Ｂ）を、所定の放送番組の平均視聴率（Ａ）で割った値を算出する。そのため、視聴履歴分析サーバ３０は、所定のコンテンツに関心を持つ視聴者が、所定の番組についてどの程度の関心を持っているかを番組ごとに比較する値を算出できるので、ユーザが視聴した放送番組とネットワーク経由で配信されたコンテンツの関連性をより正確に導き出すことができる。
【０１７５】
また、視聴履歴分析サーバ３０は、コンテンツ視聴履歴情報を参照することにより、各テレビにおいて各コンテンツが視聴された期間を算出し、あるテレビにおいて上記期間が所定の期間以下であるコンテンツについては、当該あるテレビにおいて当該コンテンツは視聴されていないものとして関連度を算出する。この構成により、視聴履歴分析サーバ３０は、ユーザの操作の誤りによって数秒間コンテンツを再生したテレビでは、コンテンツは視聴されていないとして、コンテンツを表示したテレビとしてカウントしない。そのため、ユーザが視聴した放送番組とネットワーク経由で配信されたコンテンツの関連性をより正確に導き出すことができる。
【０１７６】
〔実施形態２〕
本発明の他の実施形態について、図１１〜図１４を用いて説明する。本実施形態では、ネットワーク経由で配信されるコンテンツを、サイト接続端末が受信する構成について説明する。
【０１７７】
（視聴履歴分析システム１ａ）
図１１は、本発明の実施形態２における視聴履歴分析システム１ａの要部構成を示すブロック図である。視聴履歴分析システム１ａは、図１１に示すように、実施形態１における視聴履歴分析システム１における視聴履歴分析サーバ３０およびテレビ４０に替えて、それぞれ視聴履歴分析サーバ３０ａおよびテレビ４０ａを備える構成になっている。また、視聴履歴分析システム１ａはさらに、サイト接続端末７０を備えている。
【０１７８】
視聴履歴分析サーバ３０ａは、視聴履歴分析サーバ制御部３４および視聴履歴分析サーバ記憶部３６に替えて、視聴履歴分析サーバ制御部３４ａおよび視聴履歴分析サーバ記憶部３６ａを備える構成になっている。視聴履歴分析サーバ制御部３４ａは、視聴履歴情報管理部３４４に替えて、視聴履歴情報管理部３４４ａとして機能する。視聴履歴情報管理部３４４ａが実行する処理および視聴履歴分析サーバ記憶部３６ａの構成については、参照する図面を替えて後述する。
【０１７９】
テレビ４０ａは、図１１に示すように、テレビ制御部４４に替えて、テレビ制御部４４ａを備え、さらに、外部機器テレビ接続部５４を備えている。テレビ制御部４４ａは、図１１に示すように、表示制御部４４２ａ、放送番組選択部４５０、視聴履歴管理部４５２、および操作受付部４４６として機能する。表示制御部４４２ａが実行する処理については、参照する図面を替えて後述する。外部機器テレビ接続部５４は、外部機器とデータの送受信をすることができるインターフェースである。外部機器テレビ接続部５４の例として、ＨＤＭＩ（High Definition Multimedia Interface）（登録商標）を挙げることができる。
【０１８０】
（サイト接続端末７０）
サイト接続端末７０は、図１１に示すように、端末通信部７２、端末制御部７４、端末操作部７６、および外部機器端末接続部７８を備えている。
【０１８１】
端末通信部７２は、外部の機器と情報を送受信することができる。端末通信部７２は、ＬＡＮケーブルが接続されるＬＡＮ端子や無線ＬＡＮインターフェースにより実現される。
【０１８２】
端末制御部７４は、サイト接続端末７０の各構成を統括的に制御するものであり、ＣＰＵにより実現される。端末制御部７４の詳細については、後述する。
【０１８３】
端末操作部７６は、ユーザの操作を受け付け、当該操作を示す操作情報を出力する。端末操作部７６は、リモートコントローラ（不図示）から送信される赤外線信号を受光する赤外線信号受光部や、スイッチ、タッチパッドなどにより実現される。
【０１８４】
外部機器端末接続部７８は、外部の機器と情報を送受信することができる。外部機器端末接続部７８は、ＬＡＮケーブルが接続されるＬＡＮ端子や無線ＬＡＮインターフェースにより実現される。
【０１８５】
（端末制御部７４）
端末制御部７４は、端末操作受付部７４２、コンテンツ端末要求部７４４、表示情報端末取得部７４６、表示画像生成部７４８、および視聴履歴端末管理部７５０としても機能する。
【０１８６】
端末操作受付部７４２は、端末操作部７６から出力される操作信号を取得する。
【０１８７】
コンテンツ端末要求部７４４は、端末通信部７２を制御して、コンテンツ配信サーバ１０にコンテンツの出力を要求する。なお、当該要求は、サイトサーバ２０に対するサイト情報の出力の要求とも言い換えることができる。
【０１８８】
表示情報端末取得部７４６は、コンテンツ配信サーバ１０から出力されたコンテンツ、およびサイトサーバ２０から出力されたサイト情報を、テレビ通信部４２を制御して取得する。
【０１８９】
表示画像生成部７４８は、テレビ４０ａに表示させる画像を生成する。
【０１９０】
視聴履歴端末管理部７５０は、テレビ４０ａに表示させたコンテンツのコンテンツ視聴履歴情報を管理する。
【０１９１】
（サイトを表示する処理）
視聴履歴分析システム１ａにおいてテレビ４０ａがサイトを表示する処理について、図１２を用いて説明する。図１２は、本発明の実施形態２における視聴履歴分析システム１ａにおいてテレビ４０ａがサイトを表示する処理の流れを示すフローチャートである。
【０１９２】
（ステップＳ２〜ステップＳ８）
上述した処理と同じ処理であるため、説明を省略する。
【０１９３】
（ステップＳ１００）
視聴履歴分析サーバ３０ａにおいて、サイト接続端末７０とテレビ４０ａとを関連付けるため、サイト接続端末７０の視聴履歴端末管理部７５０は、端末通信部７２を介して、サイト接続端末７０を特定するための識別情報である端末ＩＤを、視聴履歴分析サーバ３０ａに出力する。
【０１９４】
（ステップＳ１０２）
視聴履歴分析サーバ３０ａの視聴履歴情報取得部３４２は、視聴履歴分析サーバ通信部３２を介して、サイト接続端末７０から出力された端末ＩＤを取得する。視聴履歴情報取得部３４２は、取得した端末ＩＤを、視聴履歴情報管理部３４４ａに出力する。視聴履歴情報管理部３４４ａは、取得した端末ＩＤと、ステップＳ８において取得したテレビＩＤとを関連付けて視聴履歴分析サーバ記憶部３６ａに格納する。このように、視聴履歴分析サーバ３０ａにおいて、テレビＩＤと端末ＩＤとが関連付けられるので、端末ＩＤもテレビ４０ａを特定するための識別情報であると言える。
【０１９５】
また、ステップＳ１０２においてテレビＩＤと端末ＩＤとを関連付けるために、ステップＳ１００において、サイト接続端末７０は、端末ＩＤに加えて、サイト接続端末７０に接続されているテレビ４０ａのテレビＩＤを出力する構成であってもよい。または、テレビ４０ａがステップＳ６において放送番組視聴履歴情報およびテレビＩＤに加えてテレビ使用者情報を出力し、ステップＳ１００においても、サイト接続端末７０が端末ＩＤに加えてテレビ使用者情報を出力する構成であってもよい。また、テレビ使用者情報は、使用者がテレビ４０ａまたはサイト接続端末７０を使用するたびに取得する構成であってもよい。
【０１９６】
（ステップＳ１０４）
続いて、サイト接続端末７０の端末操作受付部７４２は、端末操作部７６を介してサイトを表示する旨の操作信号を取得すると、当該操作信号をコンテンツ端末要求部７４４に出力する。
【０１９７】
（ステップＳ１０６）
コンテンツ端末要求部７４４は、取得した操作信号を参照し、端末通信部７２を介してサイトサーバ２０に対して、コンテンツの出力を要求する。より具体的には、コンテンツ端末要求部７４４は、要求するコンテンツを示すコンテンツ情報と端末ＩＤとを、端末通信部７２を介してサイトサーバ２０に出力する。
【０１９８】
（ステップＳ１０８）
サイトサーバ２０のサイトサーバ制御部２４は、サイトサーバ通信部２２を介してサイト接続端末７０から出力されたコンテンツ情報と端末ＩＤとを取得し、コンテンツの出力の要求を受け付ける。
【０１９９】
（ステップＳ１１０）
サイトサーバ制御部２４は、サイトサーバ通信部２２を介してコンテンツ配信サーバ１０に対して、取得したコンテンツ情報が示すコンテンツの出力を要求する。より具体的には、サイトサーバ制御部２４は、取得した端末ＩＤによって特定されるサイト接続端末７０に対して、取得したコンテンツ情報が示すコンテンツを出力するよう要求する。
【０２００】
（ステップＳ１１２）
コンテンツ配信サーバ１０のコンテンツ配信サーバ制御部１４は、コンテンツ配信サーバ通信部１２を介してコンテンツの出力の要求を受け付ける。
【０２０１】
（ステップＳ１１４）
サイトサーバ制御部２４は、ステップＳ１０８において取得したコンテンツ情報を参照することによって、当該コンテンツ情報が示すコンテンツに関連付けられたメタ情報をサイトサーバ記憶部２６から取得し、サイト情報を生成する。そして、サイトサーバ制御部２４は、サイトサーバ通信部２２を介して、生成したサイト情報を出力する。
【０２０２】
（ステップＳ１１６）
サイト接続端末７０の表示情報端末取得部７４６は、端末通信部７２を介してサイト情報を取得する。そして、表示情報端末取得部７４６は、取得したサイト情報を、表示画像生成部７４８に出力する。
【０２０３】
（ステップＳ１１８）
コンテンツ配信サーバ１０のコンテンツ配信サーバ制御部１４は、ステップＳ１１２において受け付けた要求に応じて、コンテンツ配信サーバ記憶部１６からコンテンツを取得し、当該コンテンツをコンテンツ配信サーバ通信部１２を介してサイト接続端末７０に出力する。
【０２０４】
（ステップＳ１２０）
サイト接続端末７０の表示情報端末取得部７４６は、端末通信部７２を介してコンテンツを取得する。そして、表示情報端末取得部７４６は、取得したコンテンツを、表示画像生成部７４８に出力する。
【０２０５】
（ステップＳ１２２）
表示画像生成部７４８は、ステップＳ１１６において取得したサイト情報を参照し、取得したコンテンツを含むサイト画像を生成する。そして、表示画像生成部７４８は、生成したサイト画像を、外部機器端末接続部７８を介してテレビ４０ａに出力する。
【０２０６】
（ステップＳ１２４）
テレビ４０ａの表示制御部４４２ａは、外部機器テレビ接続部５４を介してサイト画像を取得する。
【０２０７】
（ステップＳ１２６）
表示制御部４４２ａは、取得したサイト画像を、表示部４６に表示する。
【０２０８】
（ステップＳ１２８）
サイトサーバ制御部２４は、ステップＳ１０８において取得したコンテンツ情報を参照してコンテンツ視聴履歴情報を生成し、当該コンテンツ視聴履歴情報と、ステップＳ１０８において取得した端末ＩＤとを、サイトサーバ通信部２２を介して視聴履歴分析サーバ３０に出力する。ステップＳ１２８において生成されるコンテンツ視聴履歴情報には、上述した実施形態と同様、コンテンツ情報、およびコンテンツの視聴を開始した時刻を示す視聴開始時刻情報が含まれている。
【０２０９】
（ステップＳ１３０）
視聴履歴分析サーバ３０の視聴履歴情報取得部３４２は、視聴履歴分析サーバ通信部３２を介してコンテンツ視聴履歴情報および端末ＩＤを取得する。そして、視聴履歴情報取得部３４２は、取得したコンテンツ視聴履歴情報および端末ＩＤを視聴履歴情報管理部３４４ａに出力する。視聴履歴情報管理部３４４ａは、取得した視聴履歴情報および端末ＩＤを関連付けて視聴履歴分析サーバ記憶部３６に格納する。ここで、上述したステップＳ１０２においてテレビＩＤと端末ＩＤとは関連付けられているため、視聴履歴情報管理部３４４ａは、ステップＳ１３０の処理によって、テレビＩＤとコンテンツ視聴履歴情報とを関連付けることができる。
【０２１０】
なお、上述した実施形態と同様、コンテンツ視聴履歴情報は、サイトサーバ２０に替えて、サイト接続端末７０またはコンテンツ配信サーバ１０が出力する構成であってもよく、これは他の実施形態においても同様である。
【０２１１】
（コンテンツの再生を一時停止する処理）
視聴履歴分析システム１ａにおいてコンテンツの再生を一時停止する処理について、図１３を用いて説明する。図１３は、本発明の実施形態２における視聴履歴分析システム１ａにおいてコンテンツの再生を一時停止する処理の流れを示すフローチャートである。
【０２１２】
（ステップＳ１４０）
サイト接続端末７０の端末操作受付部７４２は、端末操作部７６を介してコンテンツの再生を一時停止する旨の操作信号を取得すると、当該操作信号をコンテンツ端末要求部７４４に出力する。
【０２１３】
（ステップＳ１４２）
コンテンツ端末要求部７４４は、取得した操作信号を参照し、端末通信部７２を介してサイトサーバ２０に対して、表示しているコンテンツを一時停止する旨を示す情報と端末ＩＤとを出力し、表示しているコンテンツを一時停止するよう要求する。
【０２１４】
（ステップＳ１４４）
サイトサーバ２０のサイトサーバ制御部２４は、サイトサーバ通信部２２を介して、サイト接続端末７０から出力された情報（表示しているコンテンツを一時停止する旨を示す情報および端末ＩＤ）を取得し、コンテンツの一時停止の要求を受け付ける。
【０２１５】
（ステップＳ１４６）
サイトサーバ制御部２４は、サイトサーバ通信部２２を介して、コンテンツ配信サーバ１０に対して、一時停止するよう要求されたコンテンツの一時停止を要求する。より具体的には、サイトサーバ制御部２４は、取得した端末ＩＤによって特定されるサイト接続端末７０に出力しているコンテンツを一時停止するよう要求する。
【０２１６】
（ステップＳ１４８）
コンテンツ配信サーバ１０のコンテンツ配信サーバ制御部１４は、コンテンツ配信サーバ通信部１２を介してコンテンツの一時停止の要求を受け付ける。
【０２１７】
（ステップＳ１５０）
サイトサーバ制御部２４は、ステップＳ１４４において取得した情報を参照することによって、コンテンツを一時停止したときのサイト情報を生成する。そして、サイトサーバ制御部２４は、サイトサーバ通信部２２を介して、生成したサイト情報を出力する。
【０２１８】
（ステップＳ１５２）
サイト接続端末７０の表示情報端末取得部７４６は、端末通信部７２を介してサイト情報を取得する。そして、表示情報端末取得部７４６は、取得したサイト情報を、表示画像生成部７４８に出力する。
【０２１９】
なお、上述した実施形態と同様、コンテンツを一時停止したときのサイト情報を生成するがない場合、換言すると、コンテンツを一時停止したときにサイト接続端末７０に表示されるコンテンツ以外の画像に変化がない場合、ステップＳ１５０およびステップＳ１５２の処理は実行されない構成であってもよい。またこの構成は、他の実施形態においても同様である。
【０２２０】
（ステップＳ１５４）
コンテンツ配信サーバ１０のコンテンツ配信サーバ制御部１４は、ステップＳ１４８において一時停止の要求を受け付けたコンテンツの出力を一時停止し、コンテンツ配信サーバ通信部１２を介して一時停止したコンテンツを出力する。
【０２２１】
（ステップＳ１５６）
サイト接続端末７０の表示情報端末取得部７４６は、端末通信部７２を介して、一時停止したコンテンツを取得する。そして、表示情報端末取得部７４６は、取得した一時停止しコンテンツを、表示画像生成部７４８に出力する。
【０２２２】
（ステップＳ１５８）
表示画像生成部７４８は、ステップＳ１５２において取得したサイト情報を参照し、取得した一時停止したコンテンツを含むサイト画像を生成する。そして、表示画像生成部７４８は、したサイト画像を、外部機器端末接続部７８を介してテレビ４０ａに出力する。
【０２２３】
（ステップＳ１６０）
テレビ４０ａの表示制御部４４２ａは、外部機器テレビ接続部５４を介してサイト画像を取得する。
【０２２４】
（ステップＳ１６２）
表示制御部４４２ａは、取得したサイト画像を、表示部４６に表示する。
【０２２５】
（ステップＳ１６４）
サイトサーバ制御部２４は、ステップＳ１４４において取得した情報を参照してコンテンツ視聴履歴情報を生成し、当該コンテンツ視聴履歴情報と、ステップＳ１４４において取得した端末ＩＤとを、サイトサーバ通信部２２を介して視聴履歴分析サーバ３０に出力する。ステップＳ１６４において生成されるコンテンツ視聴履歴情報には、コンテンツ情報、およびコンテンツを一時停止した時刻を示す視聴終了時刻情報が含まれている。
【０２２６】
なお、上述した実施形態と同様、コンテンツ視聴履歴情報は、サイトサーバ２０に替えて、サイト接続端末７０またはコンテンツ配信サーバ１０が出力する構成であってもよく、これは他の実施形態においても同様である。
【０２２７】
（ステップＳ１６６）
視聴履歴分析サーバ３０の視聴履歴情報取得部３４２は、視聴履歴分析サーバ通信部３２を介してコンテンツ視聴履歴情報および端末ＩＤを取得する。そして、視聴履歴情報取得部３４２は、取得したコンテンツ視聴履歴情報および端末ＩＤを視聴履歴情報管理部３４４に出力する。視聴履歴情報管理部３４４は、取得したコンテンツ視聴履歴情報および端末ＩＤを関連付けて視聴履歴分析サーバ記憶部３６に格納する。ここでも、上述したステップＳ１０２においてテレビＩＤと端末ＩＤとは関連付けられているため、視聴履歴情報管理部３４４ａは、ステップＳ１６６の処理によって、テレビＩＤとコンテンツ視聴履歴情報とを関連付けることができる。
【０２２８】
（コンテンツの再生を終了する処理）
視聴履歴分析システム１ａにおいてコンテンツの再生を終了する処理について、図１４を用いて説明する。図１４は、本発明の実施形態２における視聴履歴分析システム１ａにおいてコンテンツの再生を終了する処理の流れを示すフローチャートである。
【０２２９】
（ステップＳ１７０）
サイト接続端末７０の端末操作受付部７４２は、端末操作部７６を介してコンテンツの再生を終了する旨の操作信号を取得すると、当該操作信号をコンテンツ端末要求部７４４に出力する。
【０２３０】
（ステップＳ１７２）
コンテンツ端末要求部７４４は、取得した操作信号を参照し、端末通信部７２を介してサイトサーバ２０に対して、表示しているコンテンツを終了する旨を示す情報と端末ＩＤとを含む情報を出力し、表示しているコンテンツの終了を要求する。
【０２３１】
（ステップＳ１７４）
サイトサーバ２０のサイトサーバ制御部２４は、サイトサーバ通信部２２を介して、サイト接続端末７０から出力された情報（表示しているコンテンツを終了する旨を示す情報と端末ＩＤとを含む情報）を取得し、コンテンツの終了要求を受け付ける。
【０２３２】
（ステップＳ１７６）
サイトサーバ制御部２４は、サイトサーバ通信部２２を介して、コンテンツ配信サーバ１０に対して、終了するよう要求されたコンテンツの終了を要求する。より具体的には、サイトサーバ制御部２４は、取得した端末ＩＤによって特定されるサイト接続端末７０に対して、コンテンツの出力を終了するよう要求する。
【０２３３】
（ステップＳ１７８）
コンテンツ配信サーバ１０のコンテンツ配信サーバ制御部１４は、コンテンツ配信サーバ通信部１２を介してコンテンツの終了の要求を受け付ける。
【０２３４】
（ステップＳ１８０）
コンテンツ配信サーバ１０のコンテンツ配信サーバ制御部１４は、終了の要求を受け付けたコンテンツの出力を終了する。
【０２３５】
（ステップＳ１８２）
サイトサーバ制御部２４は、ステップＳ１７４において取得した情報を参照してコンテンツ視聴履歴情報を生成し、当該コンテンツ視聴履歴情報と、ステップＳ１７４において取得した端末ＩＤとを、サイトサーバ通信部２２を介して視聴履歴分析サーバ３０に出力する。ステップＳ１８２において生成されるコンテンツ視聴履歴情報には、コンテンツ情報、およびコンテンツを終了した時刻を示す視聴終了時刻情報が含まれている。
【０２３６】
（ステップＳ１８４）
視聴履歴分析サーバ３０の視聴履歴情報取得部３４２は、視聴履歴分析サーバ通信部３２を介してコンテンツ視聴履歴情報および端末ＩＤを取得する。そして、視聴履歴情報取得部３４２は、取得したコンテンツ視聴履歴情報および端末ＩＤを視聴履歴情報管理部３４４ａに出力する。視聴履歴情報管理部３４４ａは、取得したコンテンツ視聴履歴情報および端末ＩＤを関連付けて視聴履歴分析サーバ記憶部３６に格納する。ここでも、上述したステップＳ１０２においてテレビＩＤと端末ＩＤとは関連付けられているため、視聴履歴情報管理部３４４ａは、ステップＳ１８４の処理によって、テレビＩＤとコンテンツ視聴履歴情報とを関連付けることができる。
【０２３７】
このように、視聴履歴分析システム１ａでは、視聴履歴分析サーバ３０ａは、テレビＩＤと端末ＩＤとを関連付けて管理する。そのため、視聴履歴分析システム１では、テレビ４０ａがコンテンツを受信する機能を有していない場合であっても、放送番組視聴履歴情報をテレビ４０ａが出力し、コンテンツをサイト接続端末７０が受信するので、ユーザが視聴した放送番組とコンテンツとの関連性を導き出すことができる。
【０２３８】
〔実施形態３〕
本発明のさらに他の実施形態について、図１５および図１６を用いて説明する。本実施形態では、コンテンツ視聴履歴情報に加えて、放送番組視聴履歴情報をサイト接続端末７０ｂがサイトサーバ２０に出力する構成について、説明する。
【０２３９】
（視聴履歴分析システム１ｂ）
図１５は、本発明の実施形態３における視聴履歴分析システム１ｂの要部構成を示すブロック図である。視聴履歴分析システム１ｂは、図１５に示すように、実施形態２における視聴履歴分析システム１ａにおける視聴履歴分析サーバ３０ａ、テレビ４０ａ、およびサイト接続端末７０に替えて、視聴履歴分析サーバ３０ｂ、テレビ４０ｂ、およびサイト接続端末７０ｂを備える構成になっている。
【０２４０】
視聴履歴分析サーバ３０ｂは、図１５に示すように、視聴履歴分析サーバ制御部３４ａおよび視聴履歴分析サーバ記憶部３６ａに替えて、視聴履歴分析サーバ制御部３４ｂおよび視聴履歴分析サーバ記憶部３６ｂを備える構成になっている。視聴履歴分析サーバ制御部３４ｂは、視聴履歴情報管理部３４４ａに替えて、視聴履歴情報管理部３４４ｂとして機能する。視聴履歴情報管理部３４４ｂが実行する処理および視聴履歴分析サーバ記憶部３６ｂの構成については、参照する図面を替えて後述する。
【０２４１】
テレビ４０ｂは、図１５に示すように、テレビ通信部４２およびテレビ制御部４４ａに替えて、テレビ制御部４４ｂを備えている。テレビ制御部４４ｂは、図１５に示すように、視聴履歴管理部４５２に替えて、視聴履歴管理部４５２ｂとして機能する。視聴履歴管理部４５２ｂが実行する処理については、参照する図面を替えて後述する。
【０２４２】
サイト接続端末７０ｂは、図１５に示すように、端末制御部７４に替えて、端末制御部７４ｂを備えている。端末制御部７４ｂは、視聴履歴端末管理部７５０に替えて、視聴履歴端末管理部７５０ｂとして機能する。視聴履歴端末管理部７５０が実行する処理については、参照する図面を替えて後述する。
【０２４３】
（サイトを表示する処理）
視聴履歴分析システム１ｂにおいてテレビ４０ｂがサイトを表示する処理について、図１６を用いて説明する。図１６は、本発明の実施形態３における視聴履歴分析システム１ｂにおいてテレビ４０ｂがサイトを表示する処理の流れを示すフローチャートである。
【０２４４】
（ステップＳ２００）
テレビ４０ｂの視聴履歴管理部４５２ｂは、外部機器テレビ接続部５４を介して、テレビ記憶部５２に格納されている放送番組視聴履歴情報を出力する。
【０２４５】
（ステップＳ２０２）
サイト接続端末７０ｂの視聴履歴端末管理部７５０ｂは、外部機器端末接続部７８を介して、放送番組視聴履歴情報を取得する。
【０２４６】
（ステップＳ２０４）
視聴履歴端末管理部７５０ｂは、取得した放送番組視聴履歴情報と端末ＩＤとを、端末通信部７２を介して視聴履歴分析サーバ３０ｂに出力する。
【０２４７】
（ステップＳ２０６）
視聴履歴分析サーバ３０ｂの視聴履歴情報取得部３４２は、視聴履歴分析サーバ通信部３２を介して、サイト接続端末７０ｂから出力された放送番組視聴履歴情報と端末ＩＤとを取得する。視聴履歴情報取得部３４２は、取得した放送番組視聴履歴情報と端末ＩＤとを、視聴履歴情報管理部３４４ｂに出力する。視聴履歴情報管理部３４４ｂは、取得した放送番組視聴履歴情報と端末ＩＤとを関連付けて視聴履歴分析サーバ記憶部３６に格納する。本実施形態では、実施形態１におけるテレビＩＤに替えて、端末ＩＤと放送番組視聴履歴情報とが関連付けられている。しかしながら、端末ＩＤは、テレビ４０ｂに接続されているサイト接続端末７０ｂを特定するための識別番号であるため、当該端末ＩＤも、テレビ４０ｂを特定するための識別情報であると言える。
【０２４８】
（ステップＳ１０４〜ステップＳ１３０）
上述した処理と同じ処理であるため、説明を省略する。
【０２４９】
また、視聴履歴分析システム１ｂにおいて、コンテンツの再生を一時停止する処理、および、コンテンツの再生を終了する処理については、上述した実施形態２と同じ処理であるため、説明を省略する。
【０２５０】
このように、視聴履歴分析システム１ｂでは、視聴履歴分析サーバ３０ａは、サイト接続端末７０ｂから放送番組視聴履歴情報を取得し、サイト接続端末７０ｂは、コンテンツを受信する。そのため、視聴履歴分析システム１ｂは、テレビ４０ｂがネットワーク２を介して通信をする機能を有していない場合であっても、ユーザが視聴した放送番組とコンテンツとの関連性を導き出すことができる。また、視聴履歴分析システム１ｂでは、上述した実施形態２における視聴履歴分析システム１ａに比べて、視聴履歴分析サーバがテレビＩＤと端末ＩＤとを関連付ける処理が不要となり、また、テレビ４０ｂがネットワーク２を介した通信も不要となり、処理を分散させることができる。
【０２５１】
〔実施形態４〕
本発明のさらに他の実施形態について、図１７〜図２２を用いて説明する。本実施形態では、テレビＩＤおよび端末ＩＤの少なくとも何れかを用いる構成に替えて、ネットワーク２側のネットワークと、テレビ４０ｃおよびサイト接続端末７０ｃが設置されているネットワークとを中継するホームゲートウェイ（以下、「ＨＧＷ」と称する）８０を特定する識別番号であるＨＧＷＩＤを用いる場合について、説明する。
【０２５２】
（視聴履歴分析システム１ｃ）
図１７は、本発明の実施形態４における視聴履歴分析システム１ｃの要部構成を示すブロック図である。視聴履歴分析システム１ｃは、図１７に示すように、実施形態２における視聴履歴分析システム１ａにおける視聴履歴分析サーバ３０ａ、テレビ４０ａ、およびサイト接続端末７０に替えて、それぞれ視聴履歴分析サーバ３０ｃ、テレビ４０ｃ、およびサイト接続端末７０ｃを備えている。また、視聴履歴分析システム１ｃはさらに、ＨＧＷ８０を備えている。
【０２５３】
視聴履歴分析サーバ３０ｃは、図１７に示すように、視聴履歴分析サーバ制御部３４ａおよび視聴履歴分析サーバ記憶部３６ａに替えて、視聴履歴分析サーバ制御部３４ｃおよび視聴履歴分析サーバ記憶部３６ｃを備える構成になっている。視聴履歴分析サーバ制御部３４ｃは、視聴履歴情報管理部３４４ａに替えて、視聴履歴情報管理部３４４ｃとして機能する。視聴履歴情報管理部３４４ｃが実行する処理および視聴履歴分析サーバ記憶部３６ｃの構成については、参照する図面を替えて後述する。
【０２５４】
テレビ４０ｃは、図１７に示すように、テレビ制御部４４ａに替えて、テレビ制御部４４ｃを備える。テレビ制御部４４ｃは、図１７に示すように、視聴履歴管理部４５２ａに替えて、視聴履歴管理部４５２ｃとして機能する。視聴履歴管理部４５２ｃが実行する処理については、参照する図面を替えて後述する。
【０２５５】
サイト接続端末７０ｃは、図１７に示すように、端末制御部７４に替えて、端末制御部７４ｃを備える構成になっている。端末制御部７４ｃは、図１７に示すように、視聴履歴端末管理部７５０ａに替えて、視聴履歴端末管理部７５０ｃとして機能する。視聴履歴端末管理部７５０ｃが実行する処理については、参照する図面を替えて後述する。
【０２５６】
（ＨＧＷ８０）
ＨＧＷ８０は、図１７に示すように、第１の通信部８２、ＨＧＷ制御部８４、および第２の通信部８６を備えている。
【０２５７】
第１の通信部８２は、外部の機器と情報を送受信することができる。第２の通信部８６は、ネットワーク２を介して、外部の機器と情報を送受信することができる。第１の通信部８２および第２の通信部８６は、ＬＡＮケーブルが接続されるＬＡＮ端子や無線ＬＡＮインターフェースにより実現される。
【０２５８】
ＨＧＷ制御部８４は、ＨＧＷ８０の各構成を統括的に制御するものであり、ＣＰＵにより実現される。
【０２５９】
（サイトを表示する処理）
視聴履歴分析システム１ｃにおいてテレビ４０ｃがサイトを表示する処理について、図１８および図１９を用いて説明する。図１８は、本発明の実施形態４における視聴履歴分析システム１ｃにおいてコンテンツ配信サーバ１０がコンテンツの出力の要求を受け付けるまでの処理の流れを示すフローチャートである。また、図１９は、本発明の実施形態４における視聴履歴分析システム１ｃにおいてテレビ４０ｃがサイトを表示する処理の流れを示すフローチャートである。
【０２６０】
（ステップＳ３００）
テレビ４０ｃの視聴履歴管理部４５２ｃは、テレビ通信部４２を介して、テレビ記憶部５２に格納されている放送番組視聴履歴情報をＨＧＷ８０に出力する。
【０２６１】
（ステップＳ３０２）
ＨＧＷ８０のＨＧＷ制御部８４は、第１の通信部８２を介して放送番組視聴履歴情報を取得する。
【０２６２】
（ステップＳ３０４）
ＨＧＷ制御部８４は、取得した放送番組視聴履歴情報と、ＨＧＷ８０を特定するための識別情報であるＨＧＷＩＤとを、第２の通信部８６を介して視聴履歴分析サーバ３０ｃに出力する。
【０２６３】
（ステップＳ３０６）
視聴履歴分析サーバ３０ｃの視聴履歴情報取得部３４２は、視聴履歴分析サーバ通信部３２を介して、ＨＧＷ８０から出力された放送番組視聴履歴情報とＨＧＷＩＤとを取得する。視聴履歴情報取得部３４２は、取得した放送番組視聴履歴情報とＨＧＷＩＤとを、視聴履歴情報管理部３４４ｃに出力する。視聴履歴情報管理部３４４ｃは、取得した放送番組視聴履歴情報とＨＧＷＩＤとを関連付けて視聴履歴分析サーバ記憶部３６ｃに格納する。
【０２６４】
（ステップＳ１０４）
上述した処理と同様、端末操作受付部７４２は、サイトを表示する旨の操作信号をコンテンツ端末要求部７４４に出力する。
【０２６５】
（ステップＳ３０８）
コンテンツ端末要求部７４４は、取得した操作信号を参照し、端末通信部７２を介してＨＧＷ８０に対して、コンテンツの出力を要求する。より具体的には、コンテンツ要求部４４８は、要求するコンテンツを示すコンテンツ情報を、端末通信部７２を介してＨＧＷ８０に出力する。
【０２６６】
（ステップＳ３１０）
ＨＧＷ８０のＨＧＷ制御部８４は、第１の通信部８２を介してコンテンツ情報を取得し、コンテンツの出力の要求を受け付ける。
【０２６７】
（ステップＳ３１２）
ＨＧＷ制御部８４は、第２の通信部８６を介して、サイトサーバ２０に対して、取得したコンテンツ情報が示すコンテンツを出力するよう要求すると共に、ＨＧＷＩＤを出力する。
【０２６８】
（ステップＳ３１４）
サイトサーバ２０のサイトサーバ制御部２４は、サイトサーバ通信部２２を介してコンテンツの出力の要求を受け付けると共に、ＨＧＷＩＤを取得する。
【０２６９】
（ステップＳ３１６）
サイトサーバ制御部２４は、サイトサーバ通信部２２を介して、コンテンツ配信サーバ１０に対して、出力の要求を受け付けたコンテンツを出力するよう要求すると共に、取得したＨＧＷＩＤを出力する。
【０２７０】
（ステップＳ３１８）
コンテンツ配信サーバ１０のコンテンツ配信サーバ制御部１４は、コンテンツ配信サーバ通信部１２を介してコンテンツの出力の要求を受け付けると共に、ＨＧＷＩＤを取得する。
【０２７１】
（ステップＳ３２０）
サイトサーバ制御部２４は、ステップＳ３１４において要求されたコンテンツに関連付けられたメタ情報をサイトサーバ記憶部２６から取得し、サイト情報を生成する。そして、サイトサーバ制御部２４は、サイトサーバ通信部２２を介して、生成したサイト情報を出力する。
【０２７２】
（ステップＳ３２２）
ＨＧＷ８０のＨＧＷ制御部８４は、第２の通信部８６を介してサイト情報を取得する。
【０２７３】
（ステップＳ３２４）
ＨＧＷ制御部８４は、取得したサイト情報を、第１の通信部８２を介してサイト接続端末７０ｃに出力する。
【０２７４】
（ステップＳ３２６）
サイト接続端末７０ｃの表示情報端末取得部７４６は、端末通信部７２を介してサイト情報を取得し、取得したサイト情報を表示画像生成部７４８に出力する。
【０２７５】
（ステップＳ３２８）
コンテンツ配信サーバ１０のコンテンツ配信サーバ制御部１４は、ステップＳ３１８において受け付けた要求に応じて、コンテンツ配信サーバ記憶部１６からコンテンツを取得し、当該コンテンツをコンテンツ配信サーバ通信部１２を介してＨＧＷ８０に出力する。
【０２７６】
（ステップＳ３３０）
ＨＧＷ８０のＨＧＷ制御部８４は、第２の通信部８６を介してコンテンツを取得する。
【０２７７】
（ステップＳ３３２）
ＨＧＷ制御部８４は、取得したコンテンツを、第１の通信部８２を介してサイト接続端末７０ｃに出力する。
【０２７８】
（ステップＳ３３４）
サイト接続端末７０ｃの表示情報端末取得部７４６は、端末通信部７２を介してコンテンツを取得し、取得したコンテンツを表示画像生成部７４８に出力する。
【０２７９】
（ステップＳ１１２〜ステップＳ１２６）
上述した処理と同じ処理であるため、説明を省略する。
【０２８０】
（ステップＳ３３６）
サイトサーバ制御部２４は、ステップＳ３１４において受け付けた要求を参照してコンテンツ視聴履歴情報を生成し、当該コンテンツ視聴履歴情報と、ステップＳ３１４において取得したＨＧＷＩＤとを、サイトサーバ通信部２２を介して視聴履歴分析サーバ３０ｃに出力する。上述した実施形態と同様、ステップＳ３３６において生成されるコンテンツ視聴履歴情報には、コンテンツ情報、およびコンテンツの視聴を開始した時刻を示す視聴開始時刻情報が含まれている。
【０２８１】
（ステップＳ３３８）
視聴履歴分析サーバ３０の視聴履歴情報取得部３４２は、視聴履歴分析サーバ通信部３２を介してコンテンツ視聴履歴情報およびＨＧＷＩＤを取得する。そして、視聴履歴情報取得部３４２は、取得したコンテンツ視聴履歴情報およびＨＧＷＩＤを視聴履歴情報管理部３４４ｃに出力する。視聴履歴情報管理部３４４ｃは、取得した視聴履歴情報およびＨＧＷＩＤを関連付けて視聴履歴分析サーバ記憶部３６ｃに格納する。
【０２８２】
（コンテンツの再生を一時停止する処理）
視聴履歴分析システム１ｃにおいてコンテンツの再生を一時停止する処理について、図２０および図２１を用いて説明する。図２０は、本発明の実施形態４における視聴履歴分析システム１ｃにおいてサイト接続端末７０ｃがサイト情報を取得するまでの処理の流れを示すフローチャートである。また、図２１は、本発明の実施形態４における視聴履歴分析システム１ｃにおいてコンテンツの再生を一時停止する処理の流れを示すフローチャートである。
【０２８３】
（ステップＳ１４０）
上述した処理と同様、サイト接続端末７０の端末操作受付部７４２は、コンテンツの再生を一時停止する旨の操作信号をコンテンツ端末要求部７４４に出力する。
【０２８４】
（ステップＳ３４０）
コンテンツ端末要求部７４４は、取得した操作信号を参照し、端末通信部７２を介してＨＧＷ８０に対して、表示しているコンテンツの一時停止を要求する。
【０２８５】
（ステップＳ３４２）
ＨＧＷ８０のＨＧＷ制御部８４は、第１の通信部８２を介して、表示しているコンテンツの一時停止の要求を受け付ける。
【０２８６】
（ステップＳ３４４）
ＨＧＷ制御部８４は、表示しているコンテンツの一時停止の要求を受け付けると、第２の通信部８６を介して、サイトサーバ２０に対して、一時停止するよう要求されたコンテンツの一時停止を要求すると共に、ＨＧＷＩＤを出力する。
【０２８７】
（ステップＳ３４６）
サイトサーバ２０のサイトサーバ制御部２４は、サイトサーバ通信部２２を介して、ＨＧＷ８０からの要求を受け付け、ＨＧＷＩＤを取得する。
【０２８８】
（ステップＳ３４８）
サイトサーバ制御部２４は、サイトサーバ通信部２２を介して、コンテンツ配信サーバ１０に対して、一時停止するよう要求されたコンテンツの一時停止を要求すると共に、ＨＧＷＩＤを出力する。
【０２８９】
（ステップＳ３５０）
コンテンツ配信サーバ１０のコンテンツ配信サーバ制御部１４は、コンテンツ配信サーバ通信部１２を介してコンテンツの一時停止の要求を受け付けると共に、ＨＧＷＩＤを取得する。
【０２９０】
（ステップＳ３５２）
サイトサーバ制御部２４は、ステップＳ３４６において受け付けた要求に応じて、コンテンツを一時停止したときのサイト情報を生成する。そして、サイトサーバ制御部２４は、サイトサーバ通信部２２を介して、生成したサイト情報を出力する。
【０２９１】
（ステップＳ３５４）
ＨＧＷ８０のＨＧＷ制御部８４は、第２の通信部８６を介してサイト情報を取得する。
【０２９２】
（ステップＳ３５６）
ＨＧＷ制御部８４は、第１の通信部８２を介してサイト情報をサイト接続端末７０ｃに出力する。
【０２９３】
（ステップＳ３５８）
サイト接続端末７０ｃの表示情報端末取得部７４６は、端末通信部７２を介してサイト情報を取得し、取得したサイト情報を表示画像生成部７４８に出力する。
【０２９４】
（ステップＳ３６０）
コンテンツ配信サーバ１０のコンテンツ配信サーバ制御部１４は、ステップＳ３５０において一時停止の要求を受け付けたコンテンツの出力を一時停止し、コンテンツ配信サーバ通信部１２を介して一時停止したコンテンツを出力する。
【０２９５】
（ステップＳ３６２）
ＨＧＷ８０のＨＧＷ制御部８４は、第２の通信部８６を介して、一時停止したコンテンツを取得する。
【０２９６】
（ステップＳ３６４）
ＨＧＷ制御部８４は、第１の通信部８２を介して、一時停止したコンテンツをサイト接続端末７０ｃに出力する。
【０２９７】
（ステップＳ３６６）
サイト接続端末７０ｃの表示情報端末取得部７４６は、端末通信部７２を介して一時停止したコンテンツを取得すると、取得した一時停止したコンテンツを、表示画像生成部７４８に出力する。
【０２９８】
（ステップＳ１５８〜ステップＳ１６２）
上述した処理と同じ処理であるため、説明を省略する。
【０２９９】
（ステップＳ３６８）
サイトサーバ制御部２４は、ステップＳ３４６において受け付けた要求に応じたコンテンツ視聴履歴情報を生成し、当該コンテンツ視聴履歴情報と、ステップＳ３４６において取得したＨＧＷＩＤとを、サイトサーバ通信部２２を介して視聴履歴分析サーバ３０ｃに出力する。ステップＳ３６８において生成されるコンテンツ視聴履歴情報には、コンテンツ情報、およびコンテンツを一時停止した時刻を示す視聴終了時刻情報が含まれている。
【０３００】
（ステップＳ３７０）
視聴履歴分析サーバ３０の視聴履歴情報取得部３４２は、視聴履歴分析サーバ通信部３２を介してコンテンツ視聴履歴情報およびＨＧＷＩＤを取得する。そして、視聴履歴情報取得部３４２は、取得したコンテンツ視聴履歴情報およびＨＧＷＩＤを視聴履歴情報管理部３４４ｃに出力する。視聴履歴情報管理部３４４ｃは、取得した視聴履歴情報およびＨＧＷＩＤを関連付けて視聴履歴分析サーバ記憶部３６ｃに格納する。
【０３０１】
（コンテンツの再生を終了する処理）
視聴履歴分析システム１ｃにおいてコンテンツの再生を終了する処理について、図２２を用いて説明する。図２２は、本発明の実施形態４における視聴履歴分析システム１ｃにおいてコンテンツの再生を終了する処理の流れを示すフローチャートである。
【０３０２】
（ステップＳ１７０）
上述した処理と同様、サイト接続端末７０の端末操作受付部７４２は、コンテンツの再生を終了する旨の操作信号をコンテンツ端末要求部７４４に出力する。
【０３０３】
（ステップＳ３７２）
コンテンツ端末要求部７４４は、取得した操作信号を参照し、端末通信部７２を介してＨＧＷ８０に対して、表示しているコンテンツの終了を要求する。
【０３０４】
（ステップＳ３７４）
ＨＧＷ８０のＨＧＷ制御部８４は、第１の通信部８２を介して、コンテンツの終了要求を受け付ける。
【０３０５】
（ステップＳ３７６）
ＨＧＷ制御部８４は、第２の通信部８６を介して、サイトサーバ２０に対して、終了するよう要求されたコンテンツの終了を要求すると共に、ＨＧＷＩＤを出力する。
【０３０６】
（ステップＳ３７８）
サイトサーバ２０のサイトサーバ制御部２４は、サイトサーバ通信部２２を介して、ＨＧＷ８０からのコンテンツの終了の要求を受け付けると共に、ＨＧＷＩＤを取得する。
【０３０７】
（ステップＳ３８０）
サイトサーバ制御部２４は、サイトサーバ通信部２２を介して、コンテンツ配信サーバ１０に対して、終了するよう要求されたコンテンツの終了を要求すると共に、ＨＧＷＩＤを出力する。
【０３０８】
（ステップＳ３８２）
コンテンツ配信サーバ１０のコンテンツ配信サーバ制御部１４は、コンテンツ配信サーバ通信部１２を介してコンテンツの終了の要求を受け付けると共に、ＨＧＷＩＤを取得する。
【０３０９】
（ステップＳ３８４）
コンテンツ配信サーバ１０のコンテンツ配信サーバ制御部１４は、終了の要求を受け付けたコンテンツの出力を終了する。
【０３１０】
（ステップＳ３８６）
サイトサーバ制御部２４は、ステップＳ３７８において受け付けた要求に応じたコンテンツ視聴履歴情報を生成し、当該コンテンツ視聴履歴情報と、ステップＳ１７４において取得した端末ＩＤとを、サイトサーバ通信部２２を介して視聴履歴分析サーバ３０に出力する。ステップＳ３８６において生成されるコンテンツ視聴履歴情報には、コンテンツ情報、およびコンテンツを終了した時刻を示す視聴終了時刻情報が含まれている。
【０３１１】
（ステップＳ３８８）
視聴履歴分析サーバ３０の視聴履歴情報取得部３４２は、視聴履歴分析サーバ通信部３２を介してコンテンツ視聴履歴情報およびＨＧＷＩＤを取得する。そして、視聴履歴情報取得部３４２は、取得したコンテンツ視聴履歴情報およびＨＧＷＩＤを視聴履歴情報管理部３４４ｃに出力する。視聴履歴情報管理部３４４ｃは、取得した視聴履歴情報およびＨＧＷＩＤを関連付けて視聴履歴分析サーバ記憶部３６ｃに格納する。
【０３１２】
このように、視聴履歴分析システム１ｃでは、視聴履歴分析サーバ３０ａは、上述の実施形態におけるテレビＩＤおよび端末ＩＤに替えて、ＨＧＷＩＤを取得する。そのため、視聴履歴分析システム１ｃでは、テレビ４０ｃおよびサイト接続端末７０ｃがそれぞれテレビＩＤおよび端末ＩＤを出力する機能を有していなくとも、ユーザが視聴した放送番組とコンテンツとの関連性を導き出すことができる。また、視聴履歴分析システム１ｃでは、ＨＧＷＩＤとしてＨＧＷのＩＰアドレスまたはＭＡＣアドレスを用いることができるので、一般的なＨＧＷを用いることができる。また、視聴履歴分析サーバ３０ｃにおいても、ＨＧＷＩＤは、テレビ４０ｃに接続されているＨＧＷ８０を特定するための識別番号であるため、当該ＨＧＷＩＤも、テレビ４０ｃを特定するための識別情報であると言える。
【０３１３】
〔実施形態５〕
コンテンツ配信サーバ１０、サイトサーバ２０、視聴履歴分析サーバ３０〜３０ｃ、テレビ４０〜４０ｃ、サイト接続端末７０ａ〜７０ｃ、およびＨＧＷ８０の制御ブロック（特にコンテンツ配信サーバ制御部１４、サイトサーバ制御部２４、視聴履歴分析サーバ制御部３４〜３４ｃ、テレビ制御部４４〜４４ｃ、端末制御部７４〜７４ｃ、およびＨＧＷ制御部８４）は、集積回路（ＩＣチップ）等に形成された論理回路（ハードウェア）によって実現してもよいし、ＣＰＵ（Central Processing Unit）を用いてソフトウェアによって実現してもよい。
【０３１４】
後者の場合、コンテンツ配信サーバ１０、サイトサーバ２０、視聴履歴分析サーバ３０〜３０ｃ、テレビ４０〜４０ｃ、サイト接続端末７０ａ〜７０ｃ、およびＨＧＷ８０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０３１５】
〔実施形態６〕
上記各実施形態では、複数のサーバ（コンテンツ配信サーバ１０、サイトサーバ２０、および視聴履歴分析サーバ３０〜３０ｃ）を用いる例を説明したが、各サーバの有する各機能が、１つのサーバが備える構成としてもよく、さらに多くのサーバが備える構成としてもよい。また、複数のサーバを適用する場合においては、各サーバは、同じ事業者によって管理されていてもよいし、異なる事業者によって管理されていてもよい。
【０３１６】
〔実施形態７〕
コンテンツ配信サーバ１０、サイトサーバ２０、視聴履歴分析サーバ３０〜３０ｃ、テレビ４０〜４０ｃ、サイト接続端末７０ａ〜７０ｃ、およびＨＧＷ８０の各ブロックは、集積回路（ＩＣチップ）等に形成された論理回路（ハードウェア）によって実現してもよいし、ＣＰＵ（Central Processing Unit）を用いてソフトウェアによって実現してもよい。後者の場合、コンテンツ配信サーバ１０、サイトサーバ２０、視聴履歴分析サーバ３０〜３０ｃ、テレビ４０〜４０ｃ、サイト接続端末７０ａ〜７０ｃ、およびＨＧＷ８０のそれぞれを、図１０に示すようなコンピュータ（電子計算機）を用いて構成することができる。
【０３１７】
図１０は、コンテンツ配信サーバ１０、サイトサーバ２０、視聴履歴分析サーバ３０〜３０ｃ、テレビ４０〜４０ｃ、サイト接続端末７０ａ〜７０ｃ、およびＨＧＷ８０として利用可能なコンピュータ９１０のハードウェア構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０３１８】
補助記憶装置９１４には、コンピュータ９１０をコンテンツ配信サーバ１０、サイトサーバ２０、視聴履歴分析サーバ３０〜３０ｃ、テレビ４０〜４０ｃ、サイト接続端末７０ａ〜７０ｃ、およびＨＧＷ８０として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、コンテンツ配信サーバ１０、サイトサーバ２０、視聴履歴分析サーバ３０〜３０ｃ、テレビ４０〜４０ｃ、サイト接続端末７０ａ〜７０ｃ、およびＨＧＷ８０が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【０３１９】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０３２０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０３２１】
１、１ａ、１ｂ、１ｃ  視聴履歴分析システム（システム）
１０    コンテンツ配信サーバ
２０    サイトサーバ
３０、３０ａ、３０ｂ、３０ｃ  視聴履歴分析サーバ（サーバ）
３２    視聴履歴分析サーバ通信部（通信部）
３４、３４ａ、３４ｂ、３４ｃ  視聴履歴分析サーバ制御部（制御部）
３４２  視聴履歴情報取得部
３４４  視聴履歴情報管理部
３４６  視聴履歴分析部
３４８  分析データ出力部
３６    視聴履歴分析サーバ記憶部
４０、４０ａ，４０ｂ、４０ｃ  テレビ（表示装置、放送番組受信端末）
４２    テレビ通信部（通信部）
４４、４４ａ、４４ｂ、４４ｃ  テレビ制御部（制御部）
４４２  表示制御部
４４４  表示情報取得部
４４６  操作受付部
４４８  コンテンツ要求部
４５０  放送番組選択部
４５２  視聴履歴管理部
４６    表示部
４８    操作部
５０    放送番組受信部
５２    テレビ記憶部
５４    外部機器テレビ接続部
７０、７０ｂ、７０ｃ    サイト接続端末
７２    端末通信部
７４、７４ｂ、７４ｃ  端末制御部
８０    ＨＧＷ
８２    第１の通信部
８４    ＨＧＷ制御部
８６    第２の通信部
【図１】
2017118277.tif 000003
【図２】
2017118277.tif 000004
【図３】
2017118277.tif 000005
【図４】
2017118277.tif 000006
【図５】
2017118277.tif 000007
【図６】
2017118277.tif 000008
【図７】
2017118277.tif 000009
【図８】
2017118277.tif 000010
【図９】
2017118277.tif 000011
【図１０】
2017118277.tif 000012
【図１１】
2017118277.tif 000013
【図１２】
2017118277.tif 000014
【図１３】
2017118277.tif 000015
【図１４】
2017118277.tif 000016
【図１５】
2017118277.tif 000017
【図１６】
2017118277.tif 000018
【図１７】
2017118277.tif 000019
【図１８】
2017118277.tif 000020
【図１９】
2017118277.tif 000021
【図２０】
2017118277.tif 000022
【図２１】
2017118277.tif 000023
【図２２】
2017118277.tif 000024